(57)【要約】      （修正有）【課題】無線通信システムにおいて、下りリンクについてのチャネル状態情報（Ｃｈａｎｎｅｌ  ｓｔａｔｅ  ｉｎｆｏｒｍｔｉｏｎ：ＣＳＩ）を効率的に送信する。【解決手段】端末装置は、ＣＳＩを導き出すチャネル測定部と、ＣＳＩを送信する送信部とを備え、ＣＳＩのコンテンツは、ＣＳＩリファレンスリソースもしくはＣＳＩリファレンスリソースより前の一番近くに割り当てられた下りリンク物理チャネルのタイプに基づいて決定する。【選択図】図９
2019145857.tif 000002
【特許請求の範囲】
【請求項１】
ＣＳＩを導き出すチャネル測定部と、
前記ＣＳＩを送信する送信部と、
を備え、
ＣＳＩリファレンスリソースもしくは前記ＣＳＩリファレンスリソースより前の一番近くに割り当てられた下りリンク物理チャネルのタイプに基づいて、前記ＣＳＩのコンテンツが決定される
端末装置。
【請求項２】
前記下りリンク物理チャネルのタイプは、
ＰＤＳＣＨおよびｓＰＤＳＣＨを含む
請求項１に記載の端末装置。
【請求項３】
ＣＳＩを導き出すチャネル測定部と、
前記ＣＳＩを受信する受信部と、
を備え、
ＣＳＩリファレンスリソースもしくは前記ＣＳＩリファレンスリソースより前の一番近くに割り当てられた下りリンク物理チャネルのタイプに基づいて、前記ＣＳＩのコンテンツが決定される
基地局装置。
【請求項４】
前記下りリンク物理チャネルのタイプは、
ＰＤＳＣＨおよびｓＰＤＳＣＨを含む
請求項３に記載の基地局装置。
【請求項５】
端末装置に用いられる通信方法であって、
ＣＳＩを導き出し、
前記ＣＳＩを送信し、
ＣＳＩリファレンスリソースもしくは前記ＣＳＩリファレンスリソースより前の一番近くに割り当てられた下りリンク物理チャネルのタイプに基づいて、前記ＣＳＩのコンテンツを決定する
通信方法。
【請求項６】
端末装置に搭載される集積回路であって、
ＣＳＩを導き出すチャネル測定回路と、
前記ＣＳＩを送信する送信回路と、
を備え、
ＣＳＩリファレンスリソースもしくは前記ＣＳＩリファレンスリソースより前の一番近くに割り当てられた下りリンク物理チャネルのタイプに基づいて、前記ＣＳＩのコンテンツを決定する
集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA
」と称する）が、第三世代パートナーシッププロジェクト（3rd Generation Partnership
Project : 3GPP）において検討されている（非特許文献１）。ＬＴＥでは、基地局装置
をｅＮｏｄｅＢ（evolved NodeB）、端末装置をＵＥ（User Equipment）とも称する。Ｌ
ＴＥは、基地局装置がカバーするエリアをセル状に複数配置するセルラー通信システムである。ここで、単一の基地局装置は複数のセルを管理してもよい。
【０００３】
３ＧＰＰにおいて、待ち時間の縮小の強化（latency reduction enhancements）が検討されている。例えば、待ち時間の縮小の解決策として、セミパーシステントスケジューリング（Semi-Persistent Scheduling : SPS）や上りリンクグラント受信（UL Grant reception）、設定されたセミパーシステントスケジューリングの活性化および非活性化（Configured SPS activation and deactivation）が検討されている（非特許文献１）。
【先行技術文献】
【非特許文献】
【０００４】
【非特許文献１】"3GPP TR 36.881 V0.5.2 (2016-02) Evolved Universal Terrestrial Radio Access (E-UTRA); Study on latency reduction techniques for LTE (Release 13)", R2-161963, Ericsson.
【発明の概要】
【発明が解決しようとする課題】
【０００５】
しかしながら、上述のような無線通信システムにおいて、下りリンクにおけるチャネル状態情報（Channel state information : CSI）が送信される際の手順について、具体的
な方法は十分に検討されていなかった。
【０００６】
本発明は、チャネル状態情報を効率的に送信することができる端末装置、基地局装置、通信方法、および、集積回路を提供する。
【課題を解決するための手段】
【０００７】
（１）上記の目的を達成するために、本発明の態様は、以下のような手段を講じた。すなわち、本発明の第１態様における端末装置は、ＣＳＩを導き出すチャネル測定部、前記ＣＳＩを送信する送信部と、を備え、ＣＳＩリファレンスリソース（CSI reference resource）もしくは前記ＣＳＩリファレンスリソースより前の一番近くに割り当てられた下りリンク物理チャネルのタイプに基づいて、前記ＣＳＩのコンテンツを決定する端末装置である。
【０００８】
（２）また、本発明の第２態様における基地局装置は、ＣＳＩを導き出すチャネル測定部、前記ＣＳＩを受信する受信部と、を備え、ＣＳＩリファレンスリソース（CSI reference resource）もしくは前記ＣＳＩリファレンスリソースより前の一番近くに割り当てられた下りリンク物理チャネルのタイプに基づいて、前記ＣＳＩのコンテンツを決定する基地局装置である。
【０００９】
（３）また、本発明の第３態様における端末装置の通信方法は、ＣＳＩを導き出し、前記ＣＳＩを送信し、ＣＳＩリファレンスリソース（CSI reference resource）もしくは前記ＣＳＩリファレンスリソースより前の一番近くに割り当てられた下りリンク物理チャネルのタイプに基づいて、前記ＣＳＩのコンテンツを決定する通信方法である。
【００１０】
（４）また、本発明の第４態様における基地局装置の通信方法は、ＣＳＩを導き出し、前記ＣＳＩを受信し、ＣＳＩリファレンスリソース（CSI reference resource）もしくは前記ＣＳＩリファレンスリソースより前の一番近くに割り当てられた下りリンク物理チャネルのタイプに基づいて、前記ＣＳＩのコンテンツを決定する通信方法である。
【００１１】
（５）また、本発明の第５態様は、端末装置に搭載される集積回路であって、ＣＳＩを導き出すチャネル測定回路、前記ＣＳＩを送信する送信回路と、を備え、ＣＳＩリファレンスリソース（CSI reference resource）もしくは前記ＣＳＩリファレンスリソースより前の一番近くに割り当てられた下りリンク物理チャネルのタイプに基づいて、前記ＣＳＩのコンテンツを決定する。
【００１２】
（６）また、本発明の第６態様は、基地局装置に搭載される集積回路であって、ＣＳＩを導き出すチャネル測定回路、前記ＣＳＩを受信する受信回路と、を備え、ＣＳＩリファレンスリソース（CSI reference resource）もしくは前記ＣＳＩリファレンスリソースより前の一番近くに割り当てられた下りリンク物理チャネルのタイプに基づいて、前記ＣＳＩのコンテンツを決定する。
【発明の効果】
【００１３】
この発明によれば、チャネル状態情報を効率的に送信することができる。
【図面の簡単な説明】
【００１４】
【図１】本実施形態における無線通信システムの概念を示す図である。
【図２】本実施形態における無線リソースの構成を示す図である。
【図３】本実施形態における下りリンクにおける物理チャネルの割り当ての一例を示す図である。
【図４】本実施形態の態様ＡにおけるＣＳＩのコンテンツを決定する一例を示す図である。
【図５】本実施形態の態様Ｄにおけるチャネル状態情報の送信方法を説明するための一例である。
【図６】本実施形態の態様Ｄにおけるチャネル状態情報の送信方法の一例を示すシーケンス図である。
【図７】本実施形態の態様Ｅにおける第１のアピリオディックＣＳＩレポーティングパラメータが共通で設定される場合にアピリオディックＣＳＩコンテンツを決定する一例を示す図である。
【図８】本実施形態の態様Ｅにおける第１のピリオディックＣＳＩレポーティングパラメータがＰＤＳＣＨとｓＰＤＳＣＨに対して共通に設定される場合にピリオディックＣＳＩのコンテンツを決定する一例を示す図である。
【図９】本実施形態における端末装置１の構成を示す概略ブロック図である。
【図１０】本実施形態における基地局装置３の構成を示す概略ブロック図である。
【発明を実施するための形態】
【００１５】
以下、本発明の各実施形態について説明する。
【００１６】
図１は、本実施形態における無線通信システムの概念図である。図１において、無線通信システムは、端末装置１Ａ〜１Ｃ、および基地局装置３を具備する。以下、端末装置１
Ａ〜１Ｃを端末装置１とも称する。
【００１７】
本実施形態における物理チャネルおよび物理信号について説明する。
【００１８】
図１において、端末装置１から基地局装置３への上りリンクの無線通信では、以下の上りリンク物理チャネルが用いられる。ここで、上りリンク物理チャネルは、上位層から出力された情報を送信するために使用される。
・ＰＵＣＣＨ（Physical Uplink Control Channel）
・ｓＰＵＣＣＨ（short Physical Uplink Control Channel, PUCCH for short TTI）
・ＰＵＳＣＨ（Physical Uplink Shared Channel）
・ｓＰＵＳＣＨ（short Physical Uplink Shared Channel, PUSCH for short TTI）
・ＰＲＡＣＨ（Physical Random Access Channel）
・ｓＰＲＡＣＨ（short Physical Random Access Channel, PRACH for short TTI）
ＰＵＣＣＨ、および／または、ｓＰＵＣＣＨは、上りリンク制御情報（Uplink Control
Information : UCI）を送信するために用いられる。以下、ＰＵＣＣＨは、ｓＰＵＣＣＨを含んでもよい。ここで、上りリンク制御情報には、下りリンクに対するチャネル状態情報（Channel State Information : CSI）が含まれてもよい。また、上りリンク制御情報
には、ＵＬ−ＳＣＨのリソースを要求するために用いられるスケジューリング要求（Scheduling Request : SR）が含まれてもよい。また、上りリンク制御情報には、ＨＡＲＱ−
ＡＣＫ（Hybrid Automatic Repeat request ACKnowledgement）が含まれてもよい。
【００１９】
ここで、ＨＡＲＱ−ＡＣＫは、下りリンクデータ（Transport block, Medium Access Control Protocol Data Unit : MAC PDU, Downlink-Shared Channel : DL-SCH, Physical Downlink Shared Channel : PDSCH）に対するＨＡＲＱ−ＡＣＫを示してもよい。すなわ
ち、ＨＡＲＱ−ＡＣＫは、下りリンクデータに対するＡＣＫ（acknowledgement, positive-acknowledgment）またはＮＡＣＫ（negative-acknowledgement）を示してもよい。また、ＣＳＩは、チャネル品質インディケータ（CQI: Channel quality indicator）、プレコーディングマトリックスインディケータ（PMI: Precoding Matrix Indicator）、および
／または、ランクインディケーション（RI: Rank Indication）で構成されてもよい。
【００２０】
ＰＵＳＣＨ、および／または、ｓＰＵＳＣＨは、上りリンクデータ（Uplink-Shared Channel : UL-SCH）を送信するために用いられる。以下、ＰＵＳＣＨは、ｓＰＵＳＣＨを含んでもよい。また、ＰＵＳＣＨは、上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、上りリンク制御情報のみを送信するために用いられてもよい。
【００２１】
ここで、基地局装置３と端末装置１は、上位層（higher layer）において信号をやり取り（送受信）してもよい。例えば、基地局装置３と端末装置１は、無線リソース制御（Radio Resource Control : RRC）層において、ＲＲＣシグナリング（RRC message、RRC informationとも称される）を送受信してもよい。また、基地局装置３と端末装置１は、ＭＡＣ（Medium Access Control）層において、ＭＡＣコントロールエレメントをやり取り（
送受信）してもよい。ここで、ＲＲＣシグナリング、および／または、ＭＡＣコントロールエレメントを、上位層の信号（higher layer signaling）とも称する。
【００２２】
ここで、本実施形態において、「上位層のパラメータ」、「上位層のメッセージ」、「上位層の信号」、「上位層の情報」、および、「上位層の情報要素」は、同一のものであってもよい。
【００２３】
また、ＰＵＳＣＨは、ＲＲＣシグナリング、および、ＭＡＣコントロールエレメントを
送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、ユーザ
ー装置スペシフィック（ユーザー装置固有）な情報は、ある端末装置１に対して専用のシグナリングを用いて送信されてもよい。
【００２４】
ＰＲＡＣＨ、および／または、ｓＰＲＡＣＨは、ランダムアクセスプリアンブルを送信するために用いられる。以下、ＰＲＡＣＨは、ｓＰＲＡＣＨを含んでもよい。例えば、ＰＲＡＣＨ（または、ランダムアクセスプロシージャ）は、端末装置１が、基地局装置３と時間領域の同期を取ることを主な目的として用いられる。また、ＰＲＡＣＨ（または、ランダムアクセスプロシージャ）は、初期コネクション確立（initial connection establishment）プロシージャ、ハンドオーバプロシージャ、コネクション再確立（connection re-establishment）プロシージャ、上りリンク送信に対する同期（タイミング調整）、お
よび、スケジューリング要求（ＰＵＳＣＨリソースの要求、ＵＬ−ＳＣＨリソースの要求）の送信のためにも用いられてもよい。
【００２５】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal : UL RS）
本実施形態において、以下の２つのタイプの上りリンク参照信号が用いられる。
・ＤＭＲＳ（Demodulation Reference Signal）
・ＳＲＳ（Sounding Reference Signal）
ＤＭＲＳは、ＰＵＳＣＨ、ｓＰＵＳＣＨ、および／または、ＰＵＣＣＨの送信に関連する。すなわち、ＤＭＲＳは、ＰＵＳＣＨ、ｓＰＵＳＣＨ、または、ＰＵＣＣＨと時間多重されてもよい。例えば、基地局装置３は、ＰＵＳＣＨ、ｓＰＵＳＣＨ、または、ＰＵＣＣＨの伝搬路補正を行なうためにＤＭＲＳを使用してもよい。
【００２６】
以下、ＰＵＳＣＨとＤＭＲＳを共に送信することを、単にＰＵＳＣＨを送信する（ＰＵＳＣＨでの送信を行う）とも称する。また、ｓＰＵＳＣＨとＤＭＲＳを共に送信することを、単にｓＰＵＳＣＨを送信する（ｓＰＵＳＣＨでの送信を行う）とも称する。また、ＰＵＣＣＨとＤＭＲＳを共に送信することを、単にＰＵＣＣＨを送信する（ＰＵＣＣＨでの送信を行う）とも称する。
【００２７】
ＳＲＳは、ＰＵＳＣＨまたはＰＵＣＣＨの送信に関連しない。例えば、基地局装置３は、上りリンクのチャネル状態を測定するためにＳＲＳを使用してもよい。
【００２８】
図１において、基地局装置３から端末装置１への下りリンクの無線通信では、以下の下りリンク物理チャネルが用いられる。ここで、下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ｓＰＤＣＣＨ（short Physical Downlink Control Channel, PDCCH for short TTI）
・ＰＤＳＣＨ（Physical Downlink Shared Channel）
・ｓＰＤＳＣＨ（short Physical Downlink Shared Channel, PDSCH for short TTI）
・ＰＭＣＨ（Physical Multicast Channel）
ＰＢＣＨは、端末装置１で共通に用いられるマスターインフォメーションブロック（Master Information Block: MIB, Broadcast Channel: BCH）を報知するために用いられる
。
【００２９】
ＰＣＦＩＣＨは、ＰＤＣＣＨの送信に用いられる領域（ＯＦＤＭシンボル）を指示する情報を送信するために用いられる。
【００３０】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３１】
ＰＤＣＣＨ、ＥＰＤＣＣＨ、および／または、ｓＰＤＣＣＨは、下りリンク制御情報（Downlink Control Information: DCI）を送信するために用いられる。本実施形態におい
て、ＰＤＣＣＨは、ＥＰＤＣＣＨを含んでもよい。また、ＰＤＣＣＨは、ｓＰＤＣＣＨを含んでもよい。
【００３２】
ここで、ＰＤＣＣＨ、ＥＰＤＣＣＨ、および／または、ｓＰＤＣＣＨで送信される下りリンク制御情報に対して、複数のＤＣＩフォーマットが定義されてもよい。すなわち、下りリンク制御情報に対するフィールドがＤＣＩフォーマットに定義され、情報ビットへマップされてもよい。
【００３３】
ここで、下りリンクに対するＤＣＩフォーマットを、下りリンクのＤＣＩ、下りリンクグラント（downlink grant）、および／または、下りリンクアサインメント（downlink assignment）とも称する。また、上りリンクに対するＤＣＩフォーマットを、上りリンク
のＤＣＩ、上りリンクグラント（Uplink grant）、および／または、上りリンクアサインメント（Uplink assignment）とも称する。また、ＤＣＩグラントは下りリンクグラント
（ＤＬグラント）と上りリンクグラント（ＵＬグラント）を含んでもよい。
【００３４】
ＰＤＣＣＨおよびＥＰＤＣＣＨに含まれるＤＣＩはＰＤＳＣＨのためのＤＬグラントを含んでもよい。ｓＰＤＣＣＨに含まれるＤＣＩはｓＰＤＳＣＨのためのＤＬグラントを含んでもよい。ここで、ｓＰＤＳＣＨのためのＤＬグラントを含むＤＣＩは、ｓＤＣＩ（shortened DCI）と呼称されてもよい。また、ｓＰＵＳＣＨのためのＵＬグラントを含むＤ
ＣＩは、ｓＤＣＩとも称されてもよい。また、ｓＰＤＳＣＨがサブフレーム内の先頭のｓＴＴＩ（時間領域の観点から、サブフレーム内において前半に位置するｓＴＴＩ）に配置される場合、ＰＤＣＣＨはｓＤＣＩを含んでもよい。また、ＥＰＤＣＣＨは、ｓＤＣＩを含んでもよい。
【００３５】
つまり、１つのＤＬグラントは、１つのセル内の１つのＰＤＳＣＨのスケジューリングに用いられてもよい。ＤＬグラントは、該ＤＬグラントが送信されたサブフレームと同じサブフレーム内のＰＤＳＣＨのスケジューリングに用いられてもよい。１つのＤＬグラントは、１つのセル内の１つまたは複数のｓＰＤＳＣＨのスケジューリングに用いられてもよい。ＤＬグラントは、該ＤＬグラントが送信されたｓＴＴＩ（shortened Transmission
Time Interval）と同じｓＴＴＩ内のｓＰＤＳＣＨのスケジューリングに用いられてもよい。
【００３６】
ここで、ＤＬグラントは、１または複数の端末装置１のための下りリンク割り当てに関連する情報を備えてもよい。つまり、ＤＬグラントは、１または複数の端末装置１のための周波数割り当て情報（Resource allocation）、ＭＣＳ（Modulation and Coding）、送信アンテナポート数、スクランブルアイデンティティ（SCID: Scramble Identity）、レ
イヤ数、新データ指標（New Data Indicator）、ＲＶ（Redundancy Version）、トランスポートブロック数、プレコーダ情報、送信スキームに関する情報の少なくとも一つを含んでもよい。
【００３７】
なお、ＴＴＩを構成するサブキャリアスペーシング（Subcarrier spacing）および／またはシンボル長（Symbol length）と、ｓＴＴＩを構成するサブキャリアスペーシングお
よび／またはシンボル長は、異なってもよい。
【００３８】
また、ＵＬグラントとして、１つのセルにおける１つのＰＵＳＣＨのスケジューリングのために用いられるＤＣＩフォーマット（例えば、ＤＣＩフォーマット０、および／または、ＤＣＩフォーマット４、以下、第１のＵＬグラント、第１のＵＬ  ＤＣＩとも記載する）が定義されてもよい。
【００３９】
例えば、第１のＵＬグラントには、キャリアインディケータフィールド（CIF: Carrier
Indicator Field）が含まれてもよい。また、第１のＵＬグラントには、スケジュールされるＰＵＳＣＨに対する送信電力コマンド（ＴＰＣコマンド：Transmission Power Control Command）に関する情報が含まれてもよい。また、第１のＵＬグラントには、ＤＭＲＳ（ＰＵＳＣＨの送信に関連するＤＭＲＳ）に対するサイクリックシフトに関する情報が含まれてもよい。また、第１のＵＬグラントには、ＭＣＳ（modulation and coding scheme）に関する情報、および／または、リダンダンシーバージョンに関する情報が含まれてもよい。また、第１のＵＬグラントには、リソースブロック割り当て（Resource block assignment）に関する情報、および／または、ホッピングリソース割り当てに関する情報が
含まれてもよい。また、第１のＵＬグラントには、ＣＳＩの送信をリクエストするために用いられる情報（CSI request）が含まれてもよい。また、第１のＵＬグラントには、Ｓ
ＲＳの送信をリクエストするために用いられる情報（SRS request）が含まれてもよい。
【００４０】
ここで、第１のＵＬグラントは、複数の端末装置１に対して共通なＤＣＩ、および／または、ある１つの端末装置１に対して専用のＤＣＩとして定義されてもよい。すなわち、第１のＵＬグラントは、コモンサーチスペース、および／または、ユーザー装置スペシフィックサーチスペースにおいて送信されてもよい。また、第１のＵＬグラントは、ＰＤＣＣＨ、および／または、ＥＰＤＣＣＨで送信されてもよい。また、第１のＵＬグラントに付加されるＣＲＣパリティビットが、後述する、ＲＮＴＩによってスクランブルされてもよい。
【００４１】
また、第１のＵＬグラントは、ある１つのサブフレームに対する設定を規定するために用いられてもよい。すなわち、第１のＵＬグラントは、ある１つのサブフレームにおいて共通に用いられる設定を指示するために用いられてもよい。すなわち、第１のＵＬグラントを用いて指示される設定は、１つのサブフレーム毎に対して有効であってもよい。すなわち、第１のＵＬグラントは、サブフレームスペシフィックのＵＬグラントであってもよい。すなわち、端末装置１は、第１のＵＬグラントを用いてＰＵＳＣＨがスケジュールされた場合には、あるサブフレームにおいて（あるサブフレーム全てを用いて）、スケジュールされたＰＵＳＣＨでの送信を行ってもよい。
【００４２】
また、ＵＬグラントとして、少なくとも、ＰＵＳＣＨ、ｓＰＵＳＣＨ、および／または、ｓＰＤＣＣＨに対する周波数リソースの割り当てに関連する情報（例えば、ＰＵＳＣＨ、ｓＰＵＳＣＨ、および／または、ｓＰＤＣＣＨに対する物理リソースブロックの割り当てに関連する情報）が含まれるＤＣＩフォーマット（以下、第２のＵＬグラント、第２のＵＬ  ＤＣＩとも記載する）が定義されてもよい。すなわち、第２のＵＬグラントは、少なくとも、ＰＵＳＣＨ、ｓＰＵＳＣＨ、および／または、ｓＰＤＣＣＨのスケジューリングに用いられてもよい。
【００４３】
例えば、第２のＵＬグラントには、スケジュールされるＰＵＳＣＨ、スケジュールされるｓＰＵＳＣＨ、および／または、スケジュールされるｓＰＤＣＣＨに対する帯域幅に関連する情報が含まれてもよい。すなわち、第２のＵＬグラントには、ＰＵＳＣＨでの送信、ｓＰＵＳＣＨでの送信、および／または、ｓＰＤＣＣＨでの送信に対する、スケジュールされる帯域幅に関連する情報が含まれてもよい。
【００４４】
例えば、第２のＵＬグラントには、スケジュールされるＰＵＳＣＨ、スケジュールされるｓＰＵＳＣＨ、および／または、スケジュールされるｓＰＤＣＣＨに対する物理リソースブロックの開始位置（および／または、終了位置、例えば、開始位置からの長さ）に関連する情報が含まれてもよい。また、第２のＵＬグラントには、スケジュールされるＰＵＳＣＨ、スケジュールされるｓＰＵＳＣＨ、スケジュールされるｓＰＤＣＣＨに対する物理リソースブロックを指示するための情報が含まれてもよい。
【００４５】
ここで、第２のＵＬグラントには、キャリアインディケータフィールド（CIF: Carrier
Indicator Field）が含まれてもよい。また、第２のＵＬグラントには、スケジュールされるＰＵＳＣＨに対する送信電力コマンド（ＴＰＣコマンド：Transmission Power Control Command）に関する情報が含まれてもよい。また、第２のＵＬグラントには、スケジュールされるｓＰＵＳＣＨに対する送信電力コマンドに関する情報が含まれてもよい。また、第２のＵＬグラントには、ＤＭＲＳ（ＰＵＳＣＨ、および／または、ｓＰＵＳＣＨの送信に関連するＤＭＲＳ）に対するサイクリックシフトに関する情報が含まれてもよい。また、第２のＵＬグラントには、ＭＣＳ（modulation and coding scheme）に関する情報、および／または、リダンダンシーバージョンに関する情報が含まれてもよい。また、第２のＵＬグラントには、リソースブロック割り当て（Resource block assignment）に関す
る情報、および／または、ホッピングリソース割り当てに関する情報が含まれてもよい。また、第２のＵＬグラントには、ＣＳＩの送信をリクエストするために用いられる情報（CSI request）が含まれてもよい。また、第２のＵＬグラントには、ＳＲＳの送信をリク
エストするために用いられる情報（SRS request）が含まれてもよい。
【００４６】
ここで、第２のＵＬグラントを用いて送信される情報（一部、または、全ての情報）は、上位層の信号（例えば、ＭＡＣ層における信号、および／または、ＲＲＣ層における信号）を用いて送信されてもよい。以下、第２のＵＬグラントを用いて、上述したような下りリンク制御情報が送信されることを記載するが、第２のＵＬグラントを用いて送信される下りリンク制御情報は、上位層の信号を用いて送信されてもよい。
【００４７】
ここで、第２のＵＬグラントは、複数の端末装置１に対して共通なＤＣＩ（ＵＬグラント、Common UL grant、Non-UE specific UL grant）として定義されてもよい。すなわち
、第２のＵＬグラントは、後述する、コモンサーチスペースのみにおいて送信されてもよい。また、第２のＵＬグラントは、ＰＤＣＣＨ、および／または、ＥＰＤＣＣＨのみで送信されてもよい。
【００４８】
また、第２のＵＬグラントに付加されるＣＲＣパリティビットが、後述する、ＲＮＴＩによってスクランブルされてもよい。ここで、第２のＵＬグラントに付加されるＣＲＣパリティビットは、第１のＵＬ−ＲＮＴＩによってスクランブルされてもよい。また、第２のＵＬグラントが送信されるサーチスペース（例えば、コモンサーチスペース）は、少なくとも、第１のＵＬ−ＲＮＴＩによって与えられてもよい。
【００４９】
また、第２のＵＬグラントは、ある１つのサブフレームに対する設定を規定するために用いられてもよい。すなわち、第２のＵＬグラントは、ある１つのサブフレームにおいて共通に用いられる設定を指示するために用いられてもよい。すなわち、第２のＵＬグラン
トを用いて指示される設定は、１つまたは複数のサブフレーム毎に対して有効であってもよい。すなわち、第２のＵＬグラントは、サブフレームスペシフィックのＵＬグラント（a sub-frame specific UL grant）であってもよい。すなわち、端末装置１は、第２のＵ
Ｌグラントを用いてＰＵＳＣＨがスケジュールされた場合には、あるサブフレームにおいて（あるサブフレーム全てを用いて）、スケジュールされたＰＵＳＣＨでの送信を行ってもよい。
【００５０】
また、ＵＬグラントとして、少なくとも、ＰＵＳＣＨ、および／または、ｓＰＵＳＣＨに対する時間リソースの割り当てに関する情報が含まれるＤＣＩフォーマット（以下、第３のＵＬグラント、第３のＵＬ  ＤＣＩとも記載する）が定義されてもよい。例えば、第３のＵＬグラントには、ＰＵＳＣＨ、および／または、ｓＰＵＳＣＨでの送信に対する送信時間間隔（Transmission Time Interval : TTI）の割り当てに関連する情報が含まれてもよい。すなわち、第３のＵＬグラントは、少なくとも、ＰＵＳＣＨ、および／または、ｓＰＵＳＣＨのスケジューリングに用いられてもよい。
【００５１】
例えば、第３のＵＬグラントには、スケジュールされるＰＵＳＣＨ、および／または、スケジュールされるｓＰＵＳＣＨに対する送信時間間隔の長さに関連する情報が含まれてもよい。また、第３のＵＬグラントには、スケジュールされるＰＵＳＣＨと共に送信されるＤＭＲＳの位置に関連する情報が含まれてもよい。また、第３のＵＬグラントには、スケジュールされるｓＰＵＳＣＨと共に送信されるＤＭＲＳの位置に関連する情報が含まれてもよい。
【００５２】
また、第３のＵＬグラントには、スケジュールされるＰＵＳＣＨと共に送信されるＤＭＲＳに関する情報（例えば、ＤＭＲＳのサイクリックシフトに関する情報）が含まれてもよい。また、第３のＵＬグラントには、スケジュールされるｓＰＵＳＣＨと共に送信されるＤＭＲＳに関する情報（例えば、ＤＭＲＳのサイクリックシフトに関する情報）が含まれてもよい。また、第３のＵＬグラントには、第３のＵＬグラントの受信（検出）に基づく、ＰＵＳＣＨでの送信および／またはｓＰＵＳＣＨでの送信に対する遅延に関する情報（Grant to Tx delay offset）が含まれてもよい。
【００５３】
ここで、第３のＵＬグラントには、キャリアインディケータフィールド（CIF: Carrier
Indicator Field）が含まれてもよい。また、第３のＵＬグラントには、スケジュールされるＰＵＳＣＨに対する送信電力コマンド（ＴＰＣコマンド：Transmission Power Control Command）に関する情報が含まれてもよい。また、第３のＵＬグラントには、スケジュールされるｓＰＵＳＣＨに対する送信電力コマンドに関する情報が含まれてもよい。また、第３のＵＬグラントには、ＤＭＲＳ（ＰＵＳＣＨ、および／または、ｓＰＵＳＣＨの送信に関連するＤＭＲＳ）に対するサイクリックシフトに関する情報が含まれてもよい。また、第３のＵＬグラントには、ＭＣＳ（modulation and coding scheme）に関する情報、および／または、リダンダンシーバージョンに関する情報が含まれてもよい。また、第３のＵＬグラントには、リソースブロック割り当て（Resource block assignment）に関す
る情報、および／または、ホッピングリソース割り当てに関する情報が含まれてもよい。また、第３のＵＬグラントには、ＣＳＩの送信をリクエストするために用いられる情報（CSI request）が含まれてもよい。また、第３のＵＬグラントには、ＳＲＳの送信をリク
エストするために用いられる情報（SRS request）が含まれてもよい。また、第３のＵＬ
グラントには、後述する、ＴＴＩインデックスに関する情報（TTI index）が含まれても
よい。
【００５４】
ここで、第３のＵＬグラントは、ある１つの端末装置１に対して専用のＤＣＩ（ＵＬグラント、UE-specific UL grant）として定義されてもよい。すなわち、第３のＵＬグラントは、後述する、ＵＥスペシフィックスペースのみにおいて送信されてもよい。また、第
３のＵＬグラントは、ＰＤＣＣＨ、ＥＰＤＣＣＨ、および／または、ｓＰＤＣＣＨで送信されてもよい。また、第３のＵＬグラントは、ＰＤＳＣＨで送信されてもよい。
【００５５】
また、第３のＵＬグラントに付加されるＣＲＣパリティビットは、後述する、ＲＮＴＩによってスクランブルされてもよい。ここで、第３のＵＬグラントに付加されるＣＲＣパリティビットは、第３のＵＬ−ＲＮＴＩによってスクランブルされてもよい。また、第３のＵＬグラントが送信されるサーチスペース（例えば、ユーザー装置スペシフィックサーチスペース）は、少なくとも、第２のＵＬ−ＲＮＴＩによって与えられてもよい。
【００５６】
また、第３のＵＬグラントは、ある１つの送信時間間隔に対する設定を規定するために用いられてもよい。すなわち、第３のＵＬグラントは、ある１つの送信時間間隔において用いられる設定を指示するために用いられてもよい。すなわち、第３のＵＬグラントを用いて指示される設定は、１つの送信時間間隔に対して有効であってもよい。すなわち、第２のＵＬグラントは、送信時間間隔スペシフィックのＵＬグラント（a TTI specific UL grant）であってもよい。すなわち、端末装置１は、第３のＵＬグラントを用いてＰＵＳ
ＣＨがスケジュールされた場合には、ある送信時間間隔において（あるサブフレームにおける、ある送信時間間隔において）、スケジュールされたＰＵＳＣＨでの送信を行ってもよい。
【００５７】
ここで、上述したように、第２のＵＬグラントは、第３のＵＬグラントが送信されるｓＰＤＣＣＨのスケジューリングに用いられてもよい。例えば、端末装置１は、第２のＵＬグラントを受信（検出）することによって、第３のＵＬグラントを受信（検出）してもよい。また、端末装置１は、第２のＵＬグラントが送信されるＰＤＣＣＨおよび／またはＥＰＤＣＣＨをモニタ（デコード、検出）することによって、第３のＵＬグラントが送信されるＰＤＣＣＨ、ＥＰＤＣＣＨおよび／またはｓＰＤＣＣＨをモニタ（デコード、検出）してもよい。
【００５８】
ここで、第２のＵＬグラントが送信されるＰＤＣＣＨおよび／またはＥＰＤＣＣＨは、端末装置１によるモニタリングによって検出され、第３のＵＬグラントが送信されるＰＤＣＣＨ、ＥＰＤＣＣＨおよび／またはｓＰＤＣＣＨのリソースは、第２のＵＬグラントに含まれる情報によって、直接的に指示されてもよい。ここで、ＰＤＣＣＨ、ＥＰＤＣＣＨおよび／またはｓＰＤＣＣＨのリソースには、時間リソース、および／または、周波数リソースが含まれてもよい。すなわち、第３のＵＬグラントが送信されるＰＤＣＣＨ、ＥＰＤＣＣＨおよび／またはｓＰＤＣＣＨは、端末装置１によってモニタされなくてもよい。
【００５９】
以下、ＵＬグラント（ＤＣＩフォーマット）は、第１のＵＬグラント、第２のＵＬグラント、および／または、第３のＵＬグラントを含んでもよい。
【００６０】
ここで、端末装置１は、下りリンクアサインメントを用いてＰＤＳＣＨのリソースがスケジュールされた場合には、スケジューリングに基づき、ＰＤＳＣＨで下りリンクデータを受信してもよい。また、端末装置１は、ＵＬグラントを用いてＰＵＳＣＨのリソースがスケジュールされた場合には、スケジューリングに基づき、ＰＵＳＣＨを用いて上りリンクデータおよび／または上りリンク制御情報を送信してもよい。また、端末装置１は、ＵＬグラントを用いてｓＰＵＳＣＨのリソースがスケジュールされた場合には、スケジューリングに基づき、ｓＰＵＳＣＨで上りリンクデータおよび／または上りリンク制御情報を送信してもよい。
【００６１】
また、端末装置１は、ＰＤＣＣＨ候補（PDCCH candidates）、ＥＰＤＣＣＨ候補（EPDCCH candidates）、および／または、ｓＰＤＣＣＨ候補（sPDCCH candidates）のセットをモニタしてもよい。以下、ＰＤＣＣＨは、ＥＰＤＤＣＨおよび／またはｓＰＤＣＣＨを含
んでもよい。
【００６２】
ここで、ＰＤＣＣＨ候補とは、基地局装置３によって、ＰＤＣＣＨが、配置および／または送信される可能性のある候補を示していてもよい。また、モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。
【００６３】
ここで、端末装置１が、モニタするＰＤＣＣＨ候補のセットは、サーチスペースとも称される。サーチスペースには、コモンサーチスペース（Common Search Space : CSS）が
含まれてもよい。例えば、コモンサーチスペースは、複数の端末装置１に対して共通なスペースとして定義されてもよい。
【００６４】
また、サーチスペースには、ユーザー装置スペシフィックサーチスペース（UE-specific Search Space : USS）が含まれてもよい。例えば、ユーザー装置スペシフィックサーチスペースは、少なくとも、端末装置１に対して割り当てられるＣ−ＲＮＴＩに基づいて与えられてもよい。端末装置１は、コモンサーチスペース、および／または、ユーザー装置スペシフィックサーチスペースにおいて、ＰＤＣＣＨをモニタし、自装置宛てのＰＤＣＣＨを検出してもよい。
【００６５】
また、下りリンク制御情報の送信（ＰＤＣＣＨでの送信）には、基地局装置３が、端末装置１に割り当てたＲＮＴＩが利用されてもよい。具体的には、ＤＣＩフォーマット（下りリンク制御情報でもよい）にＣＲＣ（Cyclic Redundancy check : 巡回冗長検査）パリティビットが付加され、付加された後に、ＣＲＣパリティビットがＲＮＴＩによってスクランブルされてもよい。ここで、ＤＣＩフォーマットに付加されるＣＲＣパリティビットは、ＤＣＩフォーマットのペイロードから得られてもよい。
【００６６】
ここで、本実施形態において、「ＣＲＣパリティビット」、「ＣＲＣビット」、および、「ＣＲＣ」は同一のであってもよい。また、「ＣＲＣパリティビットが付加されたＤＣＩフォーマットが送信されるＰＤＣＣＨ」、「ＣＲＣパリティビットを含み、且つ、ＤＣＩフォーマットを含むＰＤＣＣＨ」、「ＣＲＣパリティビットを含むＰＤＣＣＨ」、および、「ＤＣＩフォーマットを含むＰＤＣＣＨ」は、同一であってもよい。また、「Ｘを含むＰＤＣＣＨ」、および、「ＸをともなうＰＤＣＣＨ」は、同一であってもよい。端末装置１は、ＤＣＩフォーマットをモニタしてもよい。また、端末装置１は、ＤＣＩをモニタしてもよい。また、端末装置１は、ＰＤＣＣＨをモニタしてもよい。
【００６７】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００６８】
ここで、ＲＮＴＩには、Ｃ−ＲＮＴＩ（Cell-Radio Network Temporary Identifier）
が含まれてもよい。例えば、Ｃ−ＲＮＴＩは、ＲＲＣ接続およびスケジューリングの識別に対して使用される、端末装置１に対するユニークな（一意的な）識別子であってもよい。また、Ｃ−ＲＮＴＩは、動的（dynamically）にスケジュールされるユニキャスト送信
のために利用されてもよい。
【００６９】
また、ＲＮＴＩには、ＳＰＳ  Ｃ−ＲＮＴＩ（Semi-Persistent Scheduling C-RNTI）
が含まれてもよい。例えば、ＳＰＳ  Ｃ−ＲＮＴＩは、セミパーシステントスケジューリングに対して使用される、端末装置１に対するユニークな（一意的な）識別子である。また、ＳＰＳ  Ｃ−ＲＮＴＩは、半持続的（semi-persistently）にスケジュールされるユ
ニキャスト送信のために利用されてもよい。ここで、半持続的にスケジュールされる送信とは、周期的（periodically）にスケジュールされる送信の意味が含まれてもよい。
【００７０】
また、ＲＮＴＩには、ＲＡ−ＲＮＴＩ（Random Access RNTI）が含まれてもよい。例えば、ＲＡ−ＲＮＴＩは、ランダムアクセスレスポンスメッセージの送信に対して使用される識別子であってもよい。すなわち、ＲＡ−ＲＮＴＩは、ランダムアクセスプロシージャにおいて、ランダムアクセスレスポンスメッセージの送信のために利用されてもよい。例えば、端末装置１は、ランダムアクセスプリアンブルを送信した場合において、ＲＡ−ＲＮＴＩによってスクランブルされたＣＲＣを伴うＰＤＣＣＨをモニタしてもよい。また、端末装置１は、ＲＡ−ＲＮＴＩによってスクランブルされたＣＲＣを伴うＰＤＣＣＨの検出に基づいて、ＰＤＳＣＨでランダムアクセスレスポンスを受信してもよい。
【００７１】
ここで、Ｃ−ＲＮＴＩによってスクランブルされたＣＲＣを伴うＰＤＣＣＨは、ＵＳＳまたはＣＳＳにおいて送信されても良い。また、ＳＰＳ  Ｃ−ＲＮＴＩによってスクランブルされたＣＲＣを伴うＰＤＣＣＨは、ＵＳＳまたはＣＳＳにおいて送信されても良い。また、ＲＡ−ＲＮＴＩによってスクランブルされたＣＲＣを伴うＰＤＣＣＨは、ＣＳＳのみにおいて送信されても良い。
【００７２】
ＰＤＳＣＨは、下りリンクデータ（Downlink Shared Channel: DL-SCH）を送信するた
めに用いられる。
また、ＰＤＳＣＨは、システムインフォメーションメッセージを送信するために用いられる。ここで、システムインフォメーションブメッセージは、セルスペシフィック（セル固有）な情報であってもよい。また、システムインフォメーションは、ＲＲＣシグナリングに含まれてもよい。また、ＰＤＳＣＨは、ＲＲＣシグナリング、および、ＭＡＣコントロールエレメントを送信するために用いられてもよい。
【００７３】
また、ＰＤＳＣＨは、第３のＵＬグラントを送信するために用いられてもよい。例えば、端末装置１は、基地局装置３によってスケジュールされたＰＤＳＣＨにおいて、第３のＵＬグラント（第３のＵＬグラントに含まれる情報）を受信（検出）してもよい。
【００７４】
ＰＭＣＨは、マルチキャストデータ（Multicast Channel: MCH）を送信するために用いられる。
【００７５】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００７６】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００７７】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
ここで、下りリンク物理チャネルおよび下りリンク物理信号を総称して、下りリンク信号とも称する。また、上りリンク物理チャネルおよび上りリンク物理信号を総称して、上りリンク信号とも称する。下りリンク物理チャネルおよび上りリンク物理チャネルを総称して、物理チャネルとも称する。下りリンク物理信号および上りリンク物理信号を総称して、物理信号とも称する。
【００７８】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックは
コードワードにマップされ、コードワード毎に符号化処理が行なわれる。
【００７９】
図２は、本実施形態におけるスロットの構成を示す図である。ここで、ＯＦＤＭシンボルに対してノーマルＣＰ（normal Cyclic Prefix）が適用されてもよい。また、ＯＦＤＭシンボルに対して拡張ＣＰ（extended Cyclic Prefix）が適用されてもよい。また、スロットのそれぞれにおいて送信される物理信号または物理チャネルは、リソースグリッドによって表現されてもよい。
【００８０】
ここで、下りリンクにおいて、リソースグリッドは、複数のサブキャリアと複数のＯＦＤＭシンボルによって定義されてもよい。また、上りリンクにおいて、リソースグリッドは、複数のサブキャリアと複数のＳＣ−ＦＤＭＡシンボルによって定義されてもよい。また、リソースグリッド内のエレメントのそれぞれはリソースエレメントと称される。
【００８１】
ここで、リソースエレメントは、周波数領域のインデックス（frequency-domain index
: k）と時間領域のインデックス（time-domain index : m）によって表現されてもよい
。すなわち、リソースエレメントは、サブキャリアの番号（周波数領域のインデックス: k）と、ＯＦＤＭシンボルまたはＳＣ−ＦＤＭＡシンボルの番号（時間領域のインデック
ス: m）とを用いて識別されてもよい。
【００８２】
すなわち、下りリンクにおいて、サブキャリアの数として表現される、周波数領域におけるリソースブロックのサイズをＮｓｃ、および、Ｎｓｃの倍数として表現される、下りリンク帯域幅の設定をＮＲＢと示す場合において、サブキャリアの番号は、ｋ＝０、…、ＮＲＢＮＳＣ−１と示されてもよい。また、上りリンクにおいて、サブキャリアの数として表現される、周波数領域におけるリソースブロックのサイズをＮｓｃ、および、Ｎｓｃの倍数として表現される、上りリンク帯域幅の設定をＮＲＢと示す場合において、サブキャリアの番号は、ｋ＝０、…、ＮＲＢＮＳＣ−１と示されてもよい。
【００８３】
また、１つの下りリンクのスロットにおけるＯＦＤＭシンボルの番号をＮｓｙｍｂｏｌと示す場合において、ＯＦＤＭシンボルの番号は、ｍ＝０、…、Ｎｓｙｍｂｏｌ−１と示されてもよい。また、１つの上りリンクのスロットにおけるＳＣ−ＦＤＭＡシンボルの番号をＮｓｙｍｂｏｌと示す場合において、ＳＣ−ＦＤＭＡシンボルの番号は、ｍ＝０、…、Ｎｓｙｍｂｏｌ−１と示されてもよい。
【００８４】
ここで、リソースブロックは、ある物理チャネル（ＰＤＳＣＨまたはＰＵＳＣＨなど）のリソースエレメントへのマッピングを表現するために用いられてもよい。また、１つの物理リソースブロックは、時間領域において７個の連続するＯＦＤＭシンボルまたはＳＣ−ＦＤＭＡシンボルと、周波数領域において１２個の連続するサブキャリアとから定義されてもよい。したがって、１つの物理リソースブロックは（７×１２）個のリソースエレメントから構成されてもよい。また、１つの物理リソースブロックは、時間領域において１つのスロットに対応し、サブキャリア間隔Δfは１５ｋＨｚであれば、周波数領域にお
いて１８０ｋＨｚに対応してもよい。サブキャリア間隔Δfはチャネル毎、および／また
は、ＴＴＩ／ｓＴＴＩ毎に異なってもよい。
【００８５】
また、１つの無線フレームは、＃０から＃１９に番号付けされる２０のスロットから構成されてもよい。例えば、１つの無線フレームは、１０ｍｓであってもよい。また、１つのサブフレームは、２つの連続するスロットから構成されてもよい。例えば、１つのサブフレームは、１ｍｓであってもよく、サブフレームｎは、スロット２ｎおよび２ｎ＋１から構成されてもよい。すなわち、下りリンクにおける１つのサブフレームは、１ｍｓであってもよく、１４ＯＦＤＭシンボルから構成されてもよい。また、上りリンクにおける１つのサブフレームは、１ｍｓであってもよく、１４ＳＣ−ＦＤＭＡシンボルから構成されてもよい。
【００８６】
例えば、下りリンクにおいて、１つのサブフレームは、１４ＯＦＤＭシンボルによって構成されてもよい。また、下りリンクにおいて、１つのスロットは、７ＯＦＤＭシンボルから構成されてもよい。また、上りリンクにおいて、１つのサブフレームは、１４ＳＣ−ＦＤＭＡシンボルによって構成されてもよい。また、上りリンクにおいて、１つのスロットは、１４ＳＣ−ＦＤＭＡシンボルによって構成されてもよい。
【００８７】
ここで、下りリンクにおける送信、および／または、上りリンクにおける送信に対して、送信時間間隔（Transmission Time Interval : TTI）が定義されてもよい。すなわち、下りリンクにおける送信、および／または、上りリンクにおける送信が、１つの送信時間間隔（１つの送信時間間隔の長さ）で実行されてもよい。
【００８８】
例えば、下りリンクにおいて、１、２、３、４、５、６、７、８、９、１０、１１、１２、１３、および／または、１４（１サブフレーム）の長さの送信時間間隔が定義されてもよい。すなわち、下りリンクにおいて、送信時間間隔の長さは、１、２、３、４、５、６、７、８、９、１０、１１、１２、１３、および／または、１４（１サブフレーム）ＯＦＤＭシンボルであってもよい。１４よりも少ないＯＦＤＭシンボルから構成される送信時間間隔をｓＴＴＩとも称する。
【００８９】
また、上りリンクにおいて、１、２、３、４、５、６、７、８、９、１０、１１、１２、１３、および／または、１４（１サブフレーム）の長さの送信時間間隔が定義されてもよい。すなわち、上りリンクにおいて、送信時間間隔の長さは、１、２、３、４、５、６、７、８、９、１０、１１、１２、１３、および／または、１４（１サブフレーム）ＳＣ−ＦＤＭＡシンボルであってもよい。１４よりも少ないＯＦＤＭシンボルから構成される送信時間間隔をｓＴＴＩとも称する。
【００９０】
以下、キャリアアグリゲーションについて説明する。
【００９１】
ここで、端末装置１に対して、１つまたは複数のサービングセルが設定されてもよい。端末装置１が複数のサービングセルを介して通信する技術をセルアグリゲーション、または、キャリアアグリゲーションと称する。
【００９２】
また、設定される１つまたは複数のサービングセルには、１つのプライマリーセルと、１つまたは複数のセカンダリーセルとが含まれてもよい。プライマリーセルは、初期コネクション確立（initial connection establishment）プロシージャが行なわれたサービングセル、コネクション再確立（connection re-establishment）プロシージャを開始した
サービングセル、または、ハンドオーバプロシージャにおいてプライマリーセルと指示されたセルであってもよい。また、プライマリーセルは、ＰＵＣＣＨでの送信に用いられるセルであってもよい。ここで、ＲＲＣコネクションが確立された時点、または、後に、セカンダリーセルが設定されてもよい。
【００９３】
また、下りリンクにおいて、サービングセルに対応するキャリアを、下りリンクコンポーネントキャリアと称する。また、上りリンクにおいて、サービングセルに対応するキャリアを、上りリンクコンポーネントキャリアと称する。また、下りリンクコンポーネントキャリア、および、上りリンクコンポーネントキャリアを総称して、コンポーネントキャリアと称する。
【００９４】
端末装置１は、１つまたは複数のサービングセル（コンポーネントキャリア）において、同時に複数の物理チャネルでの送信、および／または受信を行ってもよい。ここで、１つの物理チャネルは、複数のサービングセル（コンポーネントキャリア）のうち１つのサービングセル（コンポーネントキャリア）において送信されてもよい。
【００９５】
ここで、基地局装置３は、上位層の信号（例えば、ＲＲＣシグナリング）を用いて、１つまたは複数のサービングセルを設定してもよい。例えば、複数のサービングセルのセットをプライマリーセルと共に形成するために、１つまたは複数のセカンダリーセルが設定されてもよい。
【００９６】
また、基地局装置３は、上位層の信号（例えば、ＭＡＣコントロールエレメント）を用いて、１つまたは複数のサービングセルを、活性化（activate）または非活性化（deactivate）してもよい。例えば、基地局装置３は、ＲＲＣシグナリングを用いて設定した１つまたは複数のサービングセルのうちの、１つまたは複数のサービングセルを活性化または非活性化してもよい。ここで、端末装置１は、活性化されたサービングセルのみに対するＣＳＩ（例えば、アピリオディックＣＳＩ）を送信してもよい。
【００９７】
また、上りリンク（例えば、上りリンクコンポーネントキャリア）と下りリンク（例えば、下りリンクコンポーネントキャリア）との間において、リンキング（linking）が定
義されてもよい。すなわち、上りリンクと下りリンクとの間におけるリンキングに基づいて、ＵＬグラントに対するサービングセル（ＵＬグラントによってスケジュールされる（ｓ）ＰＵＳＣＨでの送信（上りリンクの送信）が行なわれるサービングセル）が識別されてもよい。ここで、この場合における、下りリンクアサインメント、または、ＵＬグラントには、キャリアインディケータフィールドは存在しない。
【００９８】
すなわち、プライマリーセルにおいて受信した下りリンクアサインメントは、プライマリーセルにおける下りリンクの送信に対応してもよい。また、プライマリーセルにおいて受信したＵＬグラントは、プライマリーセルにおける上りリンクの送信に対応してもよい。また、あるセカンダリーセルにおいて受信した下りリンクアサインメントは、該あるセ
カンダリーセルにおける下りリンクの送信に対応してもよい。また、あるセカンダリーセルにおいて受信したＵＬグラントは、該あるセカンダリーセルにおける上りリンクの送信に対応してもよい。
【００９９】
図３は、本実施形態の下りリンクにおける物理チャネルの割り当ての一例を示す図である。ＰＤＣＣＨ３００Ａは、サブフレームの先頭から１または複数のＯＦＤＭシンボルを含み（ＰＤＣＣＨの長さ３２０Ａ）、且つ、セルの帯域幅に等しい帯域幅を用いて送信される。ＰＤＳＣＨ３０１Ａは、サブフレーム全体からＰＤＣＣＨ３００Ａを除いたＯＦＤＭシンボルを含み、且つ、セルの帯域幅の一部を用いて送信される。ｓＰＤＣＣＨ３２３Ａ、３０３Ａ、３０５Ａおよび３０７Ａは、サブフレーム全体からＰＤＣＣＨ３００Ａを除いたＯＦＤＭシンボルの一部（ｓＰＤＣＣＨの長さ３２１Ａ、３１１Ａ、３１３Ａおよび３１５Ａ）を含み、且つ、ｓＴＴＩ帯域幅３０９Ａを用いて送信されてもよい。ｓＰＤＳＣＨ３０２Ａ、３０４Ａ、３０６Ａおよび３０８Ａは、サブフレーム全体からＰＤＣＣＨ３００Ａを除いたＯＦＤＭシンボルの一部（ｓＰＤＳＣＨの長さ３２２Ａ、３１２Ａ、３１４Ａおよび３１６Ａ）を含み、且つ、ｓＴＴＩ帯域幅３０９Ａを用いて送信されてもよい。
【０１００】
ここで、ｓＰＤＣＣＨ３２３Ａ、３０３Ａ、３０５Ａおよび３０７Ａ、および／または、ｓＰＤＳＣＨ３０２Ａ、３０４Ａ、３０６Ａおよび３０８Ａは、セルの帯域幅の少なくとも一つ（一部）を用いて送信されてもよい。
【０１０１】
ｓＴＴＩの長さ３１０Ａは、ｓＰＤＣＣＨの長さ３２１ＡおよびｓＰＤＳＣＨの長さ３２２Ａを含む。ｓＴＴＩの長さ３１７Ａは、ｓＰＤＣＣＨの長さ３１１ＡおよびｓＰＤＳＣＨの長さ３１２Ａを含む。ｓＴＴＩの長さ３１８Ａは、ｓＰＤＣＣＨの長さ３１３ＡおよびｓＰＤＳＣＨの長さ３１４Ａを含む。ｓＴＴＩの長さ３１９Ａは、ｓＰＤＣＣＨの長さ３１５ＡおよびｓＰＤＳＣＨの長さ３１６Ａを含む。ｓＴＴＩの長さ３１０Ａ〜３１９Ａは、サブフレーム内で共通の値でもよい。ｓＴＴＩの長さ３１０Ａ〜３１９Ａは、サブフレーム内で異なってもよい。
【０１０２】
なお、ｓＰＤＣＣＨ３２３Ａ、３０３Ａ、３０５Ａおよび３０７Ａの一部は、ｓＰＤＳＣＨであってもよい。この場合、ｓＰＤＳＣＨの長さはｓＴＴＩの長さと同じであってもよい。
【０１０３】
また、ＰＤＣＣＨ３００Ａより後であり、一番近くに割り当てられるｓＴＴＩ３１０Ａに対するｓＰＤＣＣＨ３２３ＡはＰＤＣＣＨ３００Ａに含まれてもよい。即ち、ｓＰＤＣＣＨ３２３Ａでの送信がＰＤＣＣＨ３００Ａを用いて送信されてもよい。即ち、ｓＰＤＳＣＨ３０２Ａに対するＤＬグラントは、ＰＤＣＣＨ３００Ａを用いて送信されてもよい。この時、ｓＴＴＩの長さ３１０ＡはｓＰＤＳＣＨ３０２Ａの長さ３２２Ａだけを含んでもよい。
【０１０４】
図３に基づいて、基地局装置３は端末装置１にＰＤＳＣＨをスケジューリングしてもよいし、もしくは、ｓＰＤＳＣＨをスケジューリングしてもよい。ここで、以下の説明において、送信時間間隔ＴＴＩを用いるトランスミッションモードをＰＤＳＣＨに対するトランスミッションモード（ＴＴＩ  ｍｏｄｅ）とも称する。ショート送信時間間隔ｓＴＴＩを用いるトランスミッションモードをｓＰＤＳＣＨに対するトランスミッションモード（ｓＴＴＩ  ｍｏｄｅ）とも称する。
【０１０５】
以下、本実施形態におけるトランスミッションモードについて説明する。
【０１０６】
端末装置１のトランスミッションモードは上位層のパラメータによって設定される。即
ち、基地局装置３は、ＲＲＣシグナリングによりトランスミッションモード情報（Transmission Mode information）を端末装置１に送信する。具体的には、基地局装置３は、ト
ランスミッションモード(TM)情報として、共通設定情報（Common configuration）もしくは個別設定情報（Independent configuration）を送信してもよい。トランスミッション
モード情報は、トランスミッションモードを示す。共通設定情報は、ＰＤＳＣＨとｓＰＤＳＣＨとに対して共通で設定される設定情報である。共通設定情報は、ｓＰＤＳＣＨとＰＤＳＣＨに対して共通のトランスミッションモードを示す。ＰＤＳＣＨに対する個別設定情報は、ＰＤＳＣＨに対するトランスミッションモードを示す。ｓＰＤＳＣＨに対する個別設定情報は、ｓＰＤＳＣＨに対するトランスミッションモードを示す。
【０１０７】
端末装置１は、基地局装置３からＲＲＣシグナリングによりトランスミッションモード情報として共通設定情報が送信（通知、指示）されると、該共通設定情報に基づいてＴＴＩモード（ＰＤＳＣＨに対するトランスミッションモード）とｓＴＴＩモード（ｓＰＤＳＣＨに対するトランスミッションモード）の両方に対して同じトランスミッションモードを用いることを想定する。
【０１０８】
例えば、端末装置１は、基地局装置３から受信した共通設定情報がＴＭ３を示す場合、ＴＴＩモードをトランスミッションモードＴＭ３と決定し、ｓＴＴＩモードをトランスミッションモードＴＭ３と決定する。
【０１０９】
個別設定情報は、ＰＤＳＣＨとｓＰＤＳＣＨとのそれぞれに対して個別（柔軟、独立）に設定される設定情報である。例えば、端末装置１は、ＰＤＳＣＨに対する共通設定情報がトランスミッションモード４を示す場合、ＴＴＩモードに対するトランスミッションモードをＴＭ４と決定する。例えば、端末装置１は、ｓＰＤＳＣＨに対する共通設定情報がトランスミッションモード３を示す場合、ｓＴＴＩモードに対するトランスミッションモードをＴＭ３と決定する。
【０１１０】
トランスミッションモードは、ＰＤＣＣＨ、または、ｓＰＤＣＣＨで送信されるＤＣＩのＤＣＩフォーマット（ＴＭ  ｉｎｄｅｐｅｎｄｅｎｔ  ＤＣＩ  ｆｏｒｍａｔ、ＴＭ−ｄｅｐｅｎｄｅｎｔ  ＤＣＩ  ｆｏｒｍａｔなど）により設定されてもよい。即ち、端末装置１は、トランスミッションモードに基づいてＤＣＩフォーマットを選択し、選択したＤＣＩフォーマットの受信を試みる。
【０１１１】
端末装置１は、共通設定情報や個別設定情報などの複数種類の設定情報のいずれか１つまたは複数の設定情報に基づいて、ＴＴＩモード（ＰＤＳＣＨに対するトランスミッションモード）とｓＴＴＩモード（ｓＰＤＳＣＨに対するトランスミッションモード）とを決定する。
【０１１２】
以下、本実施形態におけるＣＳＩレポートモードについて説明する。
【０１１３】
ＣＳＩレポーティングモードはアピリオディックＣＳＩレポーティングモードとピリオディックＣＳＩレポーティングモードを含む。
【０１１４】
例えば、基地局装置３は、上位層の信号（例えば、ＲＲＣシグナリング）を用いて、レポーティングモードを設定してもよい。すなわち、アピリオディックＣＳＩレポーティングモードとして、モード１‐０、モード１‐１、モード１‐２、モード２‐０、モード２‐２、モード３‐０、モード３‐１、モード３‐２のいずれかを設定してもよい。また、ピリオディックＣＳＩレポーティングモードとして、モード１‐０、モード１‐１、モード２‐０、モード２‐１のいずれかを設定してもよい。
【０１１５】
ＣＳＩレポーティングモードは、ＣＱＩフィードバックタイプとＰＭＩフィードバックタイプの組み合わせによって定義されてもよい。モードＸ−Ｙは、ＣＱＩフィードバックタイプＸとＰＭＩフィードバックタイプＹの組み合わせを示す。
【０１１６】
端末装置１は、レポーティングモード（すなわち、ＣＱＩおよびＰＭＩのフィードバックタイプ）に基づいて、あるサブフレームにおいて、ＰＵＳＣＨを用いて、アピリオディックＣＳＩレポーティング（送信）を実行してもよい。また、端末装置１は、レポーティングモードに基づいて、ある送信時間間隔において、ｓＰＵＳＣＨを用いて、アピリオディックＣＳＩレポーティング（送信）を実行してもよい。また、端末装置１は、レポーティングモードに基づいて、あるサブフレームにおいて、ＰＵＣＣＨを用いて、ピリオディックＣＳＩレポーティング（送信）を実行してもよい。また、端末装置１は、レポーティングモードに基づいて、ある送信時間間隔において、ｓＰＵＣＣＨを用いて、ピリオディックＣＳＩレポーティング（送信）を実行してもよい。
【０１１７】
例えば、アピリオディックＣＳＩレポーティングモードが設定された場合であって、モード１‐０が設定された場合、あるサブフレームにおいて、単一のワイドバンドＣＱＩ（wideband CQI）のみがレポートされてもよい。また、モード１‐２が設定された場合、あるサブフレームにおいて、単一のワイドバンドＣＱＩ（wideband CQI）、および、複数のＰＭＩ（subband PMI）がレポートされてもよい。
【０１１８】
また、モード２‐０が設定された場合、あるサブフレームにおいて、端末装置１によって選択されたサブバンドに関する、単一のＣＱＩ、および、単一のワイドバンドＣＱＩ（wideband CQI）がレポートされてもよい。また、モード２‐２が設定された場合、あるサブフレームにおいて、端末装置１によって選択されたサブバンドに関する、単一のＣＱＩ、複数のＰＭＩ（subband PMI）、および、単一のワイドバンドＣＱＩ（wideband CQI）
、単一のＰＭＩ（single PMI）がレポートされてもよい。
【０１１９】
また、モード３‐０が設定された場合、あるサブフレームにおいて、基地局装置３によって設定されたサブバンドに関する、複数のＣＱＩ（subband CQI）、および、単一のワ
イドバンドＣＱＩ（wideband CQI）がレポートされてもよい。また、モード３‐１が設定された場合、あるサブフレームにおいて、基地局装置３によって設定されたサブバンドに関する、複数のＣＱＩ（subband CQI）、単一のワイドバンドＣＱＩ（wideband CQI）、
および、単一のＰＭＩ（single PMI）がレポートされてもよい。また、モード３‐２が設定された場合、あるサブフレームにおいて、基地局装置３によって設定されたサブバンドに関する、複数のＣＱＩ（subband CQI）、単一のワイドバンドＣＱＩ（wideband CQI）
、および、複数のＰＭＩ（subband PMI）がレポートされてもよい。
【０１２０】
以下、サブバンドＣＱＩ（subband CQI）は端末装置１によって選択されたサブバンド
に関するＣＱＩ、基地局装置３によって設定されたサブバンドに関するＣＱＩ、セルの下りリンク帯域幅に含まれる全てのサブバンドのそれぞれに関するＣＱＩ、および、ｓＴＴＩバンドの帯域幅に含まれる全てのサブバンドのそれぞれに関するＣＱＩを含んでもよい。
【０１２１】
また、ＴＴＩモードに対するＣＳＩレポーティングモードに定義されるワイドバンド帯域幅とｓＴＴＩモードに対するＣＳＩレポーティングモードに定義されるワイドバンド帯域幅は共通の設定であってもよいし、異なって設定されでもよい。例えば、基地局装置３は、それぞれのワイドバンド帯域幅を設定（決定）するために用いられる情報を送信してもよい。例えば、ＴＴＩモードに対するＣＳＩレポーティングモードに対して定義されるワイドバンド帯域幅は、セルの下りリンク帯域幅の全てであってもよい。例えば、基地局装置３は、ｓＴＴＩモードに対するＣＳＩレポーティングモードに対して定義されるワイ
ドバンド帯域幅を設定（決定）するために用いられる情報を送信してもよい。また、例えば、ｓＴＴＩモードに対するＣＳＩレポーティングモードに対して定義されるワイドバンド帯域幅は端末装置１に割り当てられるｓＴＴＩバンドの帯域幅であってもよい。
【０１２２】
また、ＴＴＩモードに対するＣＳＩレポーティングモードに対して定義されるサブバンド帯域幅とｓＴＴＩモードに対するＣＳＩレポーティングモードに対して定義されるサブバンド帯域幅は共通の設定であってもよいし、異なって設定されでもよい。ＴＴＩモードに対するＣＳＩレポーティングモードに対して定義されるサブバンド帯域幅は、セルの下りリンク帯域幅に基づいて与えられてもよい。ｓＴＴＩモードに対するＣＳＩレポーティングモードに対して定義されるサブバンド帯域幅は、ｓＴＴＩバンドの帯域幅に基づいて与えられてもよい。ここで、サブバンドは端末装置１によって選択されたサブバンド、基地局装置３によって設定されたサブバンド、セルの下りリンク帯域幅に含まれる全てのサブバンド、および、ｓＴＴＩバンドの帯域幅に含まれる全てのサブバンドを含んでもよい。
【０１２３】
本実施形態におけるＣＳＩレポーティングはアピリオディックＣＳＩレポーティングとピリオディックＣＳＩレポーティングを含んでもよい。アピリオディックＣＳＩレポーティングの送信はＵＬグラントもしくはＤＬグラントによってトリガされてもよい。ここで、ＣＳＩの送信をリクエストするために用いられる情報（CSI request）へマップされる
フィールドをＣＳＩリクエストフィールドとも称する。上述したように、ＣＳＩリクエストフィールドは、ＵＬグラントに含まれてもよい。また、ＣＳＩリクエストフィールドは、ＤＬグラントに含まれてもよい。ＣＳＩリクエストフィールドを含むＵＬグラントは第１のＵＬグラントであってもよい。また、ＣＳＩリクエストフィールドを含むＵＬグラントは、第２のＵＬグラントであってもよい。また、ＣＳＩリクエストフィールドを含むＵＬグラントは、第３のＵＬグラントであってもよい。以下、ＣＳＩリクエストフィールドは、第１のＵＬグラント、および、第３のＵＬグラントに含まれる場合について記載する。しかしながら、第３のＵＬグラントに含まれるＣＳＩリクエストフィールドは、第２のＵＬグラントに含まれるＣＳＩリクエストフィールドに置き換えられてもよい。
【０１２４】
ピリオディックＣＳＩレポーティングにおいて、端末装置１は周期的にＣＳＩを送信する。ピリオディックＣＳＩレポーティングの送信に用いられるＰＵＣＣＨ／ｓＰＵＣＣＨのリソースの情報、および／または、インターバル（周期）を設定するための情報は上位層の信号（例えば、ＲＲＣシグナリング）によって、通知されてもよい。
【０１２５】
以下は本実施形態における態様Ａである。態様ＡはＣＳＩのコンテンツを決定する一例である。
【０１２６】
図４は、本実施形態の態様ＡにおけるＣＳＩのコンテンツを決定する一例を示す図である。ＣＳＩのコンテンツとは、端末装置１が、基地局装置３に下りリンク物理チャネルの品質状況を伝えるものである。基地局装置３は、受信したＣＳＩのコンテンツに基づいてチャネル品質が良好な周波数帯域に端末装置１への下りデータをスケジューリングしてもよい。ＣＳＩのコンテンツはＣＱＩ、ＰＭＩおよびＲＩの一部または全部を含んでもよい。ＣＳＩのコンテンツはＣＳＩレポーティングモードによって示されてもよい。つまり、異なるＣＳＩレポーティングモードは異なるＣＳＩのコンテンツを含んでもよい。なお、ＣＳＩのコンテンツは予め基地局装置３からＲＲＣシグナリングによって指定されてもよい。ＣＳＩのコンテンツを、レポーティングタイプ、および、フィードバックタイプとも称する。
【０１２７】
図４において、端末装置１はサブフレームｎ（４０５）でＣＳＩのレポーティングを実行してもよい。端末装置１はＣＳＩリファレンスリソース（CSI reference resource）と
呼ばれるサブフレームｎ−ｎＣＱＩ＿ｒｅｆ（４０３）において、ＣＳＩを導出するための測定を行ってもよい。ＣＳＩを導出するための測定は、チャネルの測定、および、干渉の測定を含んでもよい。
【０１２８】
以下は本実施形態におけるＣＳＩリファレンスリソース（CSI reference resource）について説明する。端末装置１は、ＣＳＩリファレンスリソースにおけるＰＤＳＣＨ／ｓＰＤＳＣＨの送信を想定することによって、ＣＳＩを導出する。
【０１２９】
周波数領域において、ＣＳＩリファレンスリソースはＣＱＩ値を導出する周波数帯域に対応する下りリンク物理リソースブロックのグループによって定義されてもよい。例えば、端末装置１はワイドバンドＣＱＩ（wideband CQI）を測定する場合、ＣＳＩリファレンスリソースの周波数領域はすべての物理リソースブロックを含む全体の下りリンクのシステム帯域幅に対応してもよい。また、端末装置１は基地局装置３によって設定されたサブバンドＣＱＩ（subband CQI）を測定する場合、ＣＳＩリファレンスリソースの周波数領
域は基地局装置３によって設定された下りリンクの帯域幅に対応してもよい。即ち、端末装置１はＣＳＩリファレンスリソースに対応する周波数帯域幅に関連する物理リソースブロックのグループにおいて、ＣＳＩを導出するための測定を行ってもよい。
【０１３０】
時間領域において、ＣＳＩリファレンスリソースは下りリンクサブフレームまたはスペシャルサブフレーム（special subframe）ｎ−ｎＣＱＩ＿ｒｅｆによって定義されてもよい。
【０１３１】
例えば、ピリオディックＣＳＩレポーティングのためのｎＣＱＩ＿ｒｅｆ値は、サブフレームｎ−ｎＣＱＩ＿ｒｅｆがサブフレームｎより４、または、４より前の有効な下りリンクサブフレームまたは有効なスペシャルサブフレームに対応するような値である。
【０１３２】
また、アピリオディックＣＳＩレポーティング（送信）がＵＬグラントによってトリガされた場合、アピリオディックＣＳＩレポーティングのためのＣＳＩリファレンスリソースはアピリオディックＣＳＩレポートをトリガするＵＬグラントを含む有効な下りリンクサブフレームまたは有効なスペシャルサブフレームであってもよい。
【０１３３】
また、アピリオディックＣＳＩレポート（送信）がランダムアクセスレスポンスグラント（Random Access Response Grant：RAR）によってトリガされた場合、アピリオディッ
クＣＳＩレポーティングのためのＣＳＩリファレンスリソースは当該ＲＡＲグラントを受信したサブフレームより後の有効な下りリンクサブフレームまたは有効なスペシャルサブフレームｎ−ｎＣＱＩ＿ｒｅｆである。ここで、ｎＣＱＩ＿ｒｅｆは４の値であってもよい。
【０１３４】
移動局装置１は、少なくとも以下の条件(X1)から(X3)を満たすサブフレームを有効であるとみなす。尚、条件（X1）における下りリンクサブフレームは、スペシャルサブフレームを含んでもよい。
・条件（X1）：サービングセルの上りリンク−下りリンク設定によって下りリンクサブフレームとして指示されている
・条件（X2）：ＴＭ９およびＴＭ１０ではない場合、ＭＢＳＦＮサブフレームではない
・条件（X3）：設定された測定ギャップに含まれない
また、あるサービングセルにおいて、上りリンクサブフレームｎに対応する有効な下りリンクサブフレームまたは有効なスペシャルサブフレームｎ−ｎＣＱＩ＿ｒｅｆがない場合は、該当サービングセルの上りリンクサブフレームｎにおけるＣＳＩレポーティングは省略されてもよい。
【０１３５】
時間領域におけるＣＳＩリファレンスリソースはサブフレーム内の一部または全部のシンボル数を含んでもよい。例えば、ｓＴＴＩモードにおける端末装置１はｓＴＴＩの長さに基づいて、ＣＳＩの測定を行ってもよい。例えば、ｓＴＴＩモードにおける端末装置１はｓＴＴＩの長さに基づいて、ＣＳＩリファレンスリソースを構成するＯＦＤＭシンボルの数を決定してもよい。また、ＣＳＩリファレンスリソースのｎＣＱＩ＿ｒｅｆ値は予め基地局装置３から設定されてもよい。即ち、ＣＳＩリファレンスリソースのｎＣＱＩ＿ｒｅｆ値は、基地局装置３から受信したパラメータに基づいて設定されてもよい。例えば、当該パラメータは、下りリンクのｓＴＴＩの長さ、ｓＰＤＳＣＨの長さ、ｓＰＤＣＣＨの長さ、上りリンクのｓＴＴＩの長さ、ｓＰＵＳＣＨの長さ、および／または、ｓＰＵＣＣＨの長さに関連してもよい（示してもよい）。例えば、当該パラメータは、ｎＣＱＩ＿ｒｅｆ値を直接指示する。
【０１３６】
レイヤの領域において、ＣＳＩリファレンスリソースはＲＩ及びＰＭＩによって定義されてもよい。
【０１３７】
上述したように、ＣＳＩリファレンスリソースはＣＳＩの測定を行うサブフレームである。端末装置１は定められたＣＳＩリファレンスリソースにおいて、ＣＲＳ、あるいはＣＳＩ−ＲＳなどの参照信号に基づいて、ＣＳＩを導出するための測定を行う。ＣＳＩリファレンスリソースにおいて、ＣＳＩを導出するための測定を行う際に、端末装置１は設定されたトランスミッションモードに応じるＰＤＳＣＨ／ｓＰＤＳＣＨに対するトランスミッションスキームを想定する。ＰＤＳＣＨに対するトランスミッションスキームは、ＴＴＩモードに基づいて与えられる。ｓＰＤＳＣＨに対するトランスミッションスキームは、ｓＴＴＩモードに基づいて与えられる。トランスミッションスキームは、ＭＩＭＯ空間多重（Spatial Multiplexing）、および、トランスミッションダイバーシティ（Transmit Diversity）を含んでもよい。
【０１３８】
端末装置１は、想定されたＰＳＤＣＨ／ｓＰＤＳＣＨに対するトランスミッションスキームとアンテナポートの情報に基づいて、ＲＩの送信を決定してもよい。さらに、端末装置１は、決定したＲＩをもとに、最適なＰＭＩを選択してもよい。端末装置１はＣＱＩを算出する際、ＣＱＩインデックスに応じた変調方式、トランスポートブロックサイズで特定されるトランスポートブロックの誤り率が０．１を超えない最大のＣＱＩインデックスを導出する。端末装置１は、ＲＩのフィードバックおよび／またはＰＭＩのフィードバックを行った場合には、そのＲＩとＰＭＩで下りリンクデータが送信されたことを想定し、ＣＱＩを算出する。
【０１３９】
上述したように、端末装置１は、トランスミッションスキームに応じて、ＣＳＩを導出する。即ち、端末装置１は、ＣＳＩフィードバックが、ＰＤＳＣＨに対するトランスミッションスキームとｓＰＤＳＣＨに対するトランスミッションスキームの内の何れに対応するかを決定する必要がある。異なるトランスミッションスキームのためにレポーティングされるＣＳＩのコンテンツは異なる。図４において、ＣＳＩリファレンスリソースに定義された下りリンクサブフレーム４０３において、端末装置１のための下りリンク物理チャネルが割り当てられた場合、割り当てられた下りリンク物理チャネルのタイプに基づいて、ＣＳＩのコンテンツ、および、ＣＳＩの導出のために想定するトランスミッションスキームを決めてもよい。ここで、下りリンク物理チャネルのタイプは、ＰＤＳＣＨおよびｓＰＤＳＣＨを含んでもよい。ＣＳＩリファレンスリソースに定義された下りリンクサブフレーム４０３において端末装置１のための下りリンク物理チャネルが割り当てられなかった場合、ＣＳＩリファレンスリソースより前の一番近くに割り当てられた端末装置１のための下りリンク物理チャネルのタイプに基づいて、ＣＳＩのコンテンツ、および、ＣＳＩの導出のために想定するトランスミッションスキームを決めてもよい。
【０１４０】
例えば、図４の示すように、端末装置１は上りサブフレームｎ（４０５）において、ＣＳＩレポーティングを実行する。下りリンクサブフレーム４０３、即ち、下りリンクサブフレームｎ−ｎＣＱＩ＿ｒｅｆは上りリンクサブフレームｎに対応するＣＳＩリファレンスリソースであってもよい。端末装置１は下りリンクサブフレーム４０３において、ＣＳＩの導出のために測定を行う。端末装置１は、下りリンクサブフレーム４０３においてＰＤＳＣＨが割り当てられた場合、ＰＤＳＣＨに対すトランスミッションスキームに応じるＣＳＩのコンテンツを決定し、ＣＳＩの導出のために測定を行ってもよい。また、端末装置１は下りリンクサブフレーム４０３において、ｓＰＤＳＣＨが割り当てられた場合、ｓＰＤＳＣＨに対すトランスミッションスキームに応じるＣＳＩのコンテンツを決定し、ＣＳＩの導出のために測定を行ってもよい。下りリンクサブフレーム４０３において、端末装置１のためのＰＤＳＣＨおよびｓＰＤＳＣＨが割り当てられなかった場合、サブフレーム４０３より前の一番近いサブフレームであって、ＰＤＳＣＨまたはｓＰＤＳＣＨが割り当てられたサブフレームがあれば、そのサブフレームにおいて割り当てられたＰＤＳＣＨまたはｓＰＤＳＣＨに基づいて、ＣＳＩのコンテンツ、および、ＣＳＩの導出のために想定するトランスミッションスキームを決定してもよい。端末装置１は決定したＣＳＩのコンテンツに基づいて、ＣＳＩリファレンスリソースであるサブフレーム４０３において、ＣＳＩの導出のために測定を行ってもよい。
【０１４１】
上述したように、ＣＳＩのコンテンツはＣＱＩ、ＰＭＩおよびＲＩの一部または全部を含んでもよい。また、ＣＳＩのコンテンツはＰＤＳＣＨまたはｓＰＤＳＣＨに対するトランスミッションスキームによって決められてもよい。例えば、ＰＤＳＣＨに対するトランスミッションスキームはＭＩＭＯ空間多重（Spatial Multiplexing）であって、ｓＰＤＳＣＨに対するトランスミッションスキームはトランスミッションダイバーシティ（Transmit Diversity）とする。ＣＳＩリファレンスリソースもしくはＣＳＩリファレンスリソースより前の一番近くに割り当てられた下りリンク物理チャネルがＰＤＳＣＨであった場合、端末装置１はＭＩＭＯ空間多重のスケジューリングと関連するＣＳＩのコンテンツを基地局装置３へフィードバック（レポーティング）してもよい。また、ＣＳＩリファレンスリソースもしくはＣＳＩリファレンスリソースより前の一番近くに割り当てられた下りリンク物理チャネルがｓＰＤＳＣＨであった場合、端末装置１はトランスミッションダイバーシティのスケジューリングと関連するＣＳＩのコンテンツを基地局装置３へフィードバック（レポーティング）してもよい。なお、ＰＤＳＣＨおよびｓＰＤＳＣＨに対するトランスミッションスキームに応じるＣＳＩのコンテンツは予め基地局装置３から設定されてもよい。
【０１４２】
以下は本実施形態における態様Ｂである。態様ＢはＣＳＩのコンテンツを決定する他の一例である。
【０１４３】
上述したように、アピリオディックＣＳＩレポーティングはＣＳＩリクエストフィールドを含むＵＬグラントによってトリガされてもよい。端末装置１はＣＳＩの送信をトリガするようにセットされたＣＳＩリクエストフィールドを含むＵＬグラントを含む下りリンク物理チャネルのタイプに基づいて、ＣＳＩのコンテンツを決めてもよい。ここで、本実施形態の態様Ｂにおける下りリンク物理チャネルのタイプは、ＰＤＣＣＨおよびｓＰＤＣＣＨを含んでもよい。
【０１４４】
例えば、アピリオディックＣＳＩレポーティングをトリガするＵＬグラントがＰＤＣＣＨに含まれる場合、端末装置１はＴＴＩモード（ＰＤＳＣＨに対すトランスミッションスキーム）に応じてＣＳＩのコンテンツを決定し、ＣＳＩリファレンスリソースにおいてＣＳＩの導出のための測定を行ってもよい。
【０１４５】
また、例えば、アピリオディックＣＳＩレポーティングをトリガするＵＬグラントがｓ
ＰＤＣＣＨに含まれる場合、端末装置１はｓＴＴＩモード（ｓＰＤＳＣＨに対すトランスミッションスキーム）に応じてＣＳＩのコンテンツを決定し、ＣＳＩリファレンスリソースにおいてＣＳＩの導出のための測定を行ってもよい。
【０１４６】
以下は本実施形態における態様Ｃである。態様ＣはＣＳＩのコンテンツを決定する他の一例である。
【０１４７】
上述したように、ＣＳＩリファレンスリソースにおいて、ＣＳＩの導出のための測定の際に、端末装置１は、ＣＳＩフィードバックが、ＰＤＳＣＨに対するトランスミッションスキームとｓＰＤＳＣＨに対するトランスミッションスキームの内の何れに対応するかを決定する必要がある。
【０１４８】
端末装置１は検出した下りリンクＤＣＩフォーマット（ＤＬグラント）に示されるＰＤＳＣＨまたはｓＰＤＳＣＨのトランスミッションスキームに基づいて、ＣＳＩのコンテンツ、および、ＣＳＩの導出のために想定するトランスミッションスキームを決めてもよい。ここで、ＣＳＩの導出のために想定するトランスミッションスキームは、下りリンクＤＣＩフォーマット（ＤＬグラント）に示されるＰＤＳＣＨまたはｓＰＤＳＣＨのトランスミッションスキームであってもよい。また、ＤＬグラントはＣＳＩレポーティングをトリガしてもよい。つまり、端末装置１は、ＣＳＩの送信をトリガするようにセットされたＣＳＩリクエストフィールドを含むＤＬグラントであって、下りリンク物理チャネル（ＰＤＳＣＨ、ｓＰＤＳＣＨ）のスケジューリングのために用いられるＤＬグラントを受信し、受信したＤＬグラントに示される下りリンク物理チャネル（ＰＤＳＣＨ、ｓＰＤＳＣＨ）のトランスミッションスキームに基づいて、ＣＳＩのコンテンツ、および、ＣＳＩの導出のために想定するトランスミッションスキームを決定してもよい。
【０１４９】
例えば、ＣＳＩリファレンスリソースに定義される下りリンクサブフレームにおいてＤＬグラントが検出された場合、端末装置１は検出したＤＬグラントによって示されるＰＤＳＣＨまたはｓＰＤＳＣＨのトランスミッションスキームに基づいて、ＣＳＩのコンテンツ、および、ＣＳＩの導出のために想定するトランスミッションスキームを決定し、ＣＳＩの導出のための測定を行ってもよい。また、ＣＳＩリファレンスリソースに定義される下りリンクサブフレームにおいてＤＬグラントが検出されなかった場合であって、端末装置１はＣＳＩリファレンスリソースより前の一番近くで検出されたＤＬグラントによって示されるＰＤＳＣＨまたはｓＰＤＳＣＨのトランスミッションスキームに基づいて、ＣＳＩのコンテンツ、および、ＣＳＩの導出のために想定するトランスミッションスキームを決定し、ＣＳＩの導出のための測定を行ってもよい。
【０１５０】
例えば、ＣＳＩリファレンスリソースにおいて検出されたＤＬグラントに示されるＰＤＳＣＨまたはｓＰＤＳＣＨのトランスミッションスキームがＭＩＭＯ空間多重である場合、端末装置１はＭＩＭＯ空間多重に応じるＣＳＩのコンテンツを決定し、ＣＳＩの導出のための測定を行ってもよい。
【０１５１】
また、ＣＳＩリファレンスリソースにおいて検出されたＤＬグラントに示されるＰＤＳＣＨまたはｓＰＤＳＣＨのトランスミッションスキームがトランスミッションダイバーシティである場合、端末装置１はトランスミッションダイバーシティに応じるＣＳＩのコンテンツを決定し、ＣＳＩの導出のための測定を行ってもよい。
【０１５２】
ＭＩＭＯ空間多重またはトランスミッションダイバーシティに応じるＣＳＩのコンテンツは予め上位層のシグナリングによって設定されてもよい。また、ＭＩＭＯ空間多重またはトランスミッションダイバーシティに応じるＣＳＩのコンテンツは端末装置１に設定されたＭＩＭＯ空間多重またはトランスミッションダイバーシティをサポートできるＣＳＩ
レポーティングモードに基づいて、決められてよい。
【０１５３】
ＣＳＩレポーティング（ＣＳＩの送信）に用いられるＰＵＳＣＨ、ＰＵＣＣＨ、ｓＰＵＳＣＨまたはｓＰＵＣＣＨリソースは基地局装置３からのＲＲＣシグナリングによって予め割り当てられてもよい。ＣＳＩレポーティングに用いられるリソースは、ＤＬグラントのリソース、および／または、関連するＤＬデータ（ＰＤＳＣＨ、ｓＰＤＳＣＨ）のリソースとリンクしてもよい。
【０１５４】
以下は、本実施形態における態様Ｄについて説明する。態様ＤはＣＳＩのコンテンツを決定する他の一例である。
【０１５５】
ＣＳＩのコンテンツは上位層から通知されるＣＳＩレポーティングモードによって指定されてもよい。基地局装置３は、ＲＲＣシグナリングによりＣＳＩレポーティングモード（CSI report mode）を端末装置１に送信する。具体的には、基地局装置３は、アピリオ
ディックＣＳＩレポーティングモード(Aperiodic CSI reporting mode)を示す情報として、アピリオディックＣＳＩレポーティングパラメータ（cqi-ReportModeAperiodic）を送
信してもよい。また、基地局装置３は、ピリオディックＣＳＩレポーティングモード（Periodic CSI reporting mode）を示す情報として、ピリオディックＣＳＩレポーティング
パラメータ（cqi-FormatIndicatorPeriodic）を送信してもよい。ピリオディックＣＳＩ
レポーティングパラメータはワイドバンドＣＱＩ（wideband CQI）とサブバンドＣＱＩ（UE selected subband CQI）の内の何れのタイプを利用するかを通知する。ここで、ワイ
ドバンドＣＱＩとサブバンドＣＱＩはＣＱＩフィードバックである。さらに、端末装置１はトランスミッションモードに基づいて、ＰＭＩフィードバックタイプ（PMI Feedback Type）を決めてもよい。即ち、端末装置１はトランスミッションモードに基づいて、ＰＭ
Ｉを送信するかどうかを決めてもよい。さらに、単一のＰＭＩおよび／または複数のＰＭＩが送信されてもよい。または、端末装置１はトランスミッションモードに基づいて、ＲＩを送信するかどうかも決めてもよい。即ち、端末装置１のピリオディックＣＳＩレポーティングモードは、ピリオディックＣＳＩレポーティングパラメータとトランスミッションモードに応じて、暗黙的に与えられる。
【０１５６】
図５は、本実施形態の態様Ｄにおけるチャネル状態情報の送信方法を説明するための一例である。
【０１５７】
例えば、基地局装置３は、上位層の信号（例えば、ＲＲＣシグナリング）を用いて、第１のＣＳＩレポーティングパラメータと第２のＣＳＩレポーティングパラメータを設定してもよい。第１のＣＳＩレポーティングパラメータは、ＰＤＳＣＨに対するトランスミッションモード（ＴＴＩモード）に対するＣＳＩレポーティングモードを設定するために用いられてもよい。また、第２のＣＳＩレポーティングパラメータは、ｓＰＤＳＣＨに対するトランスミッションモード（ｓＴＴＩモード）に対するＣＳＩレポーティングモードを設定するために用いられてもよい。
【０１５８】
即ち、第１のＣＳＩレポーティングパラメータは第１のＣＳＩレポーティングモードを示してもよい。また、第２のＣＳＩレポーティングパラメータは第２のＣＳＩレポーティングモードを示してもよい。
【０１５９】
つまり、端末装置１は、（ｉ）第１のＣＳＩレポーティングモードを示す第１のＣＳＩレポーティングパラメータ、および、第２のＣＳＩレポーティングモードを示す第２のＣＳＩレポーティングパラメータを受信し、（ｉｉ）ＰＤＳＣＨのトランスミッションモードおよびｓＰＤＳＣＨのトランスミッションモードに基づいて、第１のＣＳＩレポーティングパラメータおよび第２のＣＳＩレポーティングパラメータの内の一つを選択し、（ｉ
ｉｉ）選択した一つに対応するＣＳＩレポーティングモードに基づいて、前記ＣＳＩを導き出してもよい。
【０１６０】
例えば、図５（Ａ）のステップ５００Ａにおいて、基地局装置３は、ＲＲＣシグナリングを用いて第１のＣＳＩレポーティングパラメータと第２のＣＳＩレポーティングパラメータを端末装置１に送信する。
【０１６１】
図５（Ａ）のステップ５０１において、端末装置１がＴＴＩモードおよびｓＴＴＩモードの内の何れのモードであるかを判断する。ここで、態様Ａ、態様Ｂ、または、態様Ｃに基づいて端末装置１がＴＴＩモードおよびｓＴＴＩモードの内の何れのモードであるかを判断してもよい。また、基地局装置３はＴＴＩモードまたはｓＴＴＩモードを示す情報として、ＲＲＣシグナリングを用いて端末装置１に通知してもよい。例えば、図５（Ａ）のステップ５０１において、端末装置１は、ｓＴＴＩモードを通知するＲＲＣシグナリングの受信に基づいて、ｓＴＴＩモードを設定する。
【０１６２】
図５（Ａ）のステップ５０２において、ｓＴＴＩモードが設定された端末装置１は、図５（Ａ）のステップ５００Ａにおいて受信した第１のＣＳＩレポーティングパラメータ、および、第２のＣＳＩレポーティングパラメータに基づく二つのＣＳＩレポーティングモードから、ｓＰＤＳＣＨのトランスミッションモードに対する第２のＣＳＩレポーティングモードを選択し、選択した第２のＣＳＩレポーティングモードに基づいてＣＳＩレポーティングを実行してもよい。
【０１６３】
また、例えば、図５（Ｂ）のステップ５００Ｂにおいて、基地局装置３は、ＲＲＣシグナリングを用いて第１のＣＳＩレポーティングパラメータと第２のＣＳＩレポーティングパラメータを端末装置１に送信する。
【０１６４】
図５（Ｂ）のステップ５０３において、端末装置１がＴＴＩモードおよびｓＴＴＩモードの内の何れのモードであるかを判断する。ここで、態様Ａ、態様Ｂ、または、態様Ｃに基づいて端末装置１がＴＴＩモードおよびｓＴＴＩモードの内の何れのモードであるかを判断してもよい。また、基地局装置３はＴＴＩモードまたはｓＴＴＩモードを示す情報として、ＲＲＣシグナリングを用いて端末装置１に通知してもよい。例えば、図５（Ｂ）のステップ５０３において、端末装置１は、ＴＴＩモードを通知するＲＲＣシグナリングの受信に基づいて、ＴＴＩモードを設定する。
【０１６５】
図５（Ｂ）のステップ５０４において、ＴＴＩモードが設定された端末装置１は、図５（Ｂ）のステップ５００Ｂにおいて受信した第１のＣＳＩレポーティングパラメータ、および、第２のＣＳＩレポーティングパラメータに基づく２つのＣＳＩレポーティングモードから、ＰＤＳＣＨのトランスミッションモードに対する第１のＣＳＩレポーティングモードを選択し、選択した第１のＣＳＩレポーティングモードに基づいてＣＳＩレポーティングを実行してもよい。
【０１６６】
図５が示すような例はアピリオディックＣＳＩレポーティングに対して用いられてもよい。また、図５が示すような例はピリオディックＣＳＩレポーティングに対して用いられてもよい。
【０１６７】
図６は、本実施形態の態様Ｄにおけるチャネル状態情報の送信方法の一例を示すシーケンス図である。図６は図５を限定する一例であってもよい。端末装置１は上述した図５の示すように、二つのＣＳＩレポーティングパラメータが設定される。且つ、端末装置１はＰＤＳＣＨに対するトランスミッションモードおよびｓＰＤＳＣＨに対するトランスミッションモードの内の少なくとも一つがＭＩＭＯ空間多重方式に設定された場合、端末装置
１は、ｓＴＴＩモードとＴＴＩモードの何れであるかに関わらず、第１のＣＳＩレポーティングパラメータ、および、第２のＣＳＩレポーティングパラメータの内のＭＩＭＯ空間多重をサポートできるＣＳＩレポーティングパラメータを選択し、ＭＩＭＯ空間多重のスケジューリングのためのＣＳＩレポーティングを実行してもよい。
【０１６８】
具体的に言えば、図６（Ａ）のステップ６００Ａにおいて、基地局装置３はＲＲＣシグナリングを用いて第１のＣＳＩレポーティングパラメータと第２のＣＳＩレポーティングパラメータを端末装置１に送信する。また、第１のＣＳＩレポーティングパラメータはＭＩＭＯ空間多重のために設定されてもよい。例えば、第１のＣＳＩレポーティングパラメータはＭＩＭＯ空間多重されるＰＤＳＣＨに対するトランスミッションスキームに設定される。
【０１６９】
図６（Ａ）のステップ６０１において、端末装置１がｓＴＴＩモードを通知するＲＲＣシグナリングを受信し、ｓＴＴＩモードを設定する。
【０１７０】
図６（Ａ）のステップ６０２において、ｓＴＴＩモードが設定された端末装置１は、図６（Ａ）のステップ６００Ａにおいて受信した第１のＣＳＩレポーティングパラメータ、および、第２のＣＳＩレポーティングパラメータに基づく二つのＣＳＩレポーティングモードの内、ＭＩＭＯ空間多重に対応するＰＤＳＣＨのトランスミッションモードに対する第１のＣＳＩレポーティングモードを用いて、ＣＳＩレポーティングを実行してもよい。
【０１７１】
また、例えば、図６（Ｂ）のステップ６００Ｂにおいて、基地局装置３はＲＲＣシグナリングを用いて第１のＣＳＩレポーティングパラメータと第２のＣＳＩレポーティングパラメータを端末装置１に送信する。また、第１のＣＳＩレポーティングパラメータはＭＩＭＯ空間多重のために設定されてもよい。例えば、第１のＣＳＩレポーティングパラメータはＭＩＭＯ空間多重されるＰＤＳＣＨに対するトランスミッションスキームに設定される。
【０１７２】
図６（Ｂ）のステップ６０３において、端末装置１がＴＴＩモードを通知するＲＲＣシグナリングを受信し、ＴＴＩモードを設定する。
【０１７３】
図６（Ｂ）のステップ６０４において、ＴＴＩモードが設定された端末装置１は、図６（Ｂ）のステップ６００Ｂにおいて受信した第１のＣＳＩレポーティングパラメータ、および、第２のＣＳＩレポーティングパラメータに基づく二つのＣＳＩレポーティングモードの内、ＭＩＭＯ空間多重に対応するＰＤＳＣＨのトランスミッションモードに対する第１のＣＳＩレポーティングモードを用いて、ＣＳＩレポーティングを実行してもよい。
【０１７４】
以下は、本実施形態における態様Ｅについて説明する。
【０１７５】
基地局装置３は、上位層の信号（例えば、ＲＲＣシグナリング）を用いて、１つの共通の第１のＣＳＩレポーティングパラメータを設定してもよい。ここで、第１のＣＳＩレポーティングパラメータは第１のＣＳＩレポーティングモードを示してもよい。また、第１のＣＳＩレポーティングパラメータは１つのＣＱＩフィードバックタイプを示してもよい。本実施形態の態様Ｅにおいて、端末装置１は、第１のＣＳＩレポーティングパラメータを受信し、ＰＤＳＣＨのトランスミッションモード（ＴＴＩモード）、ｓＰＤＳＣＨのトランスミッションモード（ｓＴＴＩモード）および第１のＣＳＩレポーティングパラメータに基づいて、ＣＳＩのコンテンツを決定してもよい。
【０１７６】
図７は、本実施形態の態様Ｅにおける第１のアピリオディックＣＳＩレポーティングパラメータが共通で設定される場合にアピリオディックＣＳＩコンテンツを決定する一例を
示す図である。ここで、第１のＣＳＩレポーティングパラメータは第１のアピリオディックＣＳＩレポーティングパラメータであってもよい。
【０１７７】
共通の第１のアピリオディックＣＳＩレポーティングパラメータは、ＰＤＳＣＨとｓＰＤＳＣＨとに対して同一のＣＳＩレポーティングモードを示してもよい。即ち、基地局装置３は端末装置１に第１のアピリオディックＣＳＩレポーティングパラメータを送信する。端末装置１は、ＣＳＩのコンテンツを決定するために用いられる第１のアピリオディックＣＳＩレポーティングパラメータを受信し、ＰＤＳＣＨのトランスミッションモード、ｓＰＤＳＣＨのトランスミッションモードおよび第１のアピリオディックＣＳＩレポーティングパラメータに基づいて、ＣＳＩのコンテンツを決定してもよい。
【０１７８】
図７（Ａ）はＰＤＳＣＨに対するトランスミッションモードおよびｓＰＤＳＣＨに対するトランスミッションモードが異なる場合の一例である。図７（Ｂ）はＰＤＳＣＨに対するトランスミッションモードおよびｓＰＤＳＣＨに対するトランスミッションモードが同じ場合の一例である。
【０１７９】
以下、図７（Ａ）について、説明する。まず、端末装置１は、ＰＤＳＣＨに対するトランスミッションモード、および、ｓＰＤＳＣＨに対するトランスミッションモードの何れに対するアピリオディックＣＳＩの測定を行うかを決定する。ここで、端末装置１は、態様Ａ、態様Ｂ、または、態様Ｃに基づいて、ＰＤＳＣＨに対するトランスミッションモード、および、ｓＰＤＳＣＨに対するトランスミッションモードの何れに対するアピリオディックＣＳＩの測定を行うかを決定してもよい。端末装置１は決定したＰＤＳＣＨまたはｓＰＤＳＣＨのトランスミッションモードと第１のアピリオディックＣＳＩレポーティングパラメータに基づいて、アピリオディックＣＳＩレポーティングモード、および、フィードバックされるべきＣＳＩのコンテンツを決定する。
【０１８０】
例えば、決定したＰＤＳＣＨまたはｓＰＤＳＣＨのトランスミッションモードに対して、第１のアピリオディックＣＳＩレポーティングモードがサポートされる場合、端末装置１は第１のアピリオディックＣＳＩレポーティングモードに基づいて、ＣＳＩレポーティングを実行してもよい。あるトランスミッションモードに対して、第１のアピリオディックＣＳＩレポーティングモードがサポートされるかどうかは、仕様書などによって予め定義されていてもよい。
【０１８１】
また、例えば、決定したＰＤＳＣＨまたはｓＰＤＳＣＨのトランスミッションモードに対して、第１のアピリオディックＣＳＩレポーティングモードがサポートされない場合、端末装置１は、第１のアピリオディックＣＳＩレポーティングモードに基づいて、ＣＳＩレポーティングモードを図７（Ａ）の示すような例の矢印ように横方向で切り替えてもよい。
【０１８２】
具体的には、例えば、基地局装置３は、ＰＤＳＣＨに対するトランスミッションモードをトランスミッションモードＴＭ４、ｓＰＤＳＣＨに対するトランスミッションモードをトランスミッションモードＴＭ２に設定し、当該設定を示すＲＲＣシグナリングを端末装置１に送信する。ここで、ＰＤＳＣＨのトランスミッションモードＴＭ４に対して、モード１―２、モード２―２、モード３―１、モード３―２およびモード１―１がサポートされる。ｓＰＤＳＣＨのトランスミッションモードＴＭ２に対して、モード２―０、モード３―０およびモード１―０がサポートされる。さらに、第１のアピリオディックＣＳＩレポーティングパラメータはモード３−２を示す。端末装置１がＣＳＩの導出のためにＰＤＳＣＨのトランスミッションモードを想定する場合、ＣＳＩの導出は設定された第１のアピリオディックＣＳＩレポーティングモードであるモード３−２に基づいて、基地局装置３にＣＳＩをレポーティングしてもよい。端末装置１がＣＳＩの導出のためにｓＰＤＳＣ
Ｈのトランスミッションモードを想定する場合、モード３−０に基づいて、基地局装置３にＣＳＩをレポーティングしてもよい。当該モード３−０は、図７（Ａ）におけるモード３−２と同じ横方向のモード（同じＣＱＩフィードバックタイプであるが異なるＰＭＩフィードバックタイプのモード）を探すことによって、決定されてもよい。モード３−０は、モード３−２とＰＭＩフィードバックタイプが異なるが、ＣＱＩフィードバックタイプは同じである。即ち、ｓＰＤＳＣＨのトランスミッションモードに対して、第１のアピリオディックＣＳＩレポーティングモードがサポートされない場合、ｓＰＤＳＣＨのトランスミッションモードに対するアピリオディックＣＳＩレポーティングモードは基地局装置３から設定された第１のアピリオディックＣＳＩレポーティングモードであるモード３−２からモード３−０へ切り替えてもよい。即ち、端末装置１はモード３−０に基づいて、基地局装置３にＣＳＩをレポーティングしてもよい。
【０１８３】
図７（Ｂ）は基地局装置３が端末装置１にＰＤＳＣＨおよびｓＰＤＳＣＨのそれぞれに対するトランスミッションモードを一つの共通のトランスミッションモードに設定する場合の一例を示す図である。共通のトランスミッションモードに設定されたＰＤＳＣＨのトランスミッションモードとｓＰＤＳＣＨのトランスミッションモードに対して、同じアピリオディックＣＳＩレポーティングモードがサポートされる。即ち、端末装置１は第１のアピリオディックＣＳＩレポーティングモードに基づいて、基地局装置３にＣＳＩをレポーティングしてもよい。
【０１８４】
また、ｓＰＤＳＣＨのトランスミッションモードの場合、端末装置１は設定された第１のアピリオディックＣＳＩレポーティングモードに基づいて、第１のアピリオディックＣＳＩレポーティングモードを図７（Ｂ）の示すような例の矢印ように縦方向のモード（異なるＣＱＩフィードバックタイプであるが同じＰＭＩフィードバックタイプのモード）に切り替えてもよい。具体的に言うと、端末装置１は第１のアピリオディックＣＳＩレポーティングモードに基づいて、ワイドバンドＣＱＩが含まれるモード（モード１−０、モード１−１、および、モード１−２）に切り替えてもよい。つまり、ｓＰＤＳＣＨのトランスミッションモードに対するＣＳＩレポーティングはＣＳＩのコンテンツを示すペイロードサイズ（ビット数）が少ないワイドバンドＣＱＩが含まれるモード（モード１−０、モード２−０、モード３−０）を用いてもよい。
【０１８５】
例えば、基地局装置３は、ＰＤＳＣＨおよびｓＰＤＳＣＨのそれぞれに対するトランスミッションモードを共通のトランスミッションモードＴＭ２に設定し、当該設定を示すＲＲＣシグナリングを端末装置１に送信する。即ち、ＰＤＳＣＨおよびｓＰＤＳＣＨのトランスミッションモードＴＭ２に対して、モード２―０、モード３―０およびモード１―０がサポートされる。さらに、共通の第１のアピリオディックＣＳＩレポーティングモードがモード３−０に設定される。端末装置１がＣＳＩの導出のためにＰＤＳＣＨのトランスミッションモードを想定する場合、ＣＳＩの導出は設定された第１のアピリオディックＣＳＩレポーティングモードであるモード３−０に基づいて、基地局装置３にＣＳＩをレポーティングしてもよい。端末装置１がＣＳＩの導出のためにｓＰＤＳＣＨのトランスミッションモードを想定する場合、ＣＳＩの導出は設定された第１のアピリオディックＣＳＩレポーティングモードであるモード３−０に基づいて、基地局装置３にＣＳＩをレポーティングしてもよい。また、端末装置１がＣＳＩの導出のためにｓＰＤＳＣＨのトランスミッションモードを想定する場合、ＣＳＩの導出は図７（Ｂ）における設定された第１のアピリオディックＣＳＩレポーティングモードであるモード３−０と同じ縦方向のワイドバンドＣＱＩが含まれるモード１−０に切り替えてもよい。ここで、ｓＰＤＳＣＨのトランスミッションモードに対するアピリオディックＣＳＩレポーティングモードは基地局装置３から設定された第１のアピリオディックＣＳＩレポーティングモードであるモード３−０からモード１−０へ切り替えてもよい。即ち、端末装置１はモード１−０に基づいて、基地局装置３にＣＳＩをレポーティングしてもよい。
【０１８６】
また、上述したように、第１のＣＳＩレポーティングパラメータは１つのＣＱＩフィードバックタイプを示してもよい。例えば、ＰＤＳＣＨとｓＰＤＳＣＨのトランスミッションモードが異なる場合、第１のＣＳＩレポーティングパラメータは共通の１つのＣＱＩフィードバックタイプを示してもよい。即ち、端末装置１は第１のＣＳＩレポーティングパラメータによって与えられるＣＱＩフィードバックタイプとＰＤＳＣＨまたはｓＰＤＳＣＨのトランスミッションモードによって決定されるＰＭＩフィードバックタイプの組み合わせに基づいて、ＣＳＩのコンテンツを決定してもよい。
【０１８７】
図８は、本実施形態の態様Ｅにおける第１のピリオディックＣＳＩレポーティングパラメータが、ＰＤＳＣＨとｓＰＤＳＣＨに対して共通に設定される場合にピリオディックＣＳＩのコンテンツを決定する一例を示す図である。ここで、第１のＣＳＩレポーティングパラメータは第１のピリオディックＣＳＩレポーティングパラメータであってもよい。
【０１８８】
共通の第１のピリオディックＣＳＩレポーティングパラメータは、ＰＤＳＣＨとｓＰＤＳＣＨとに対して同一のＣＱＩフィードバックタイプを示してもよい。即ち、基地局装置３は端末装置１に第１のピリオディックＣＳＩレポーティングパラメータを送信する。
【０１８９】
図８（Ａ）はＰＤＳＣＨに対するトランスミッションモードおよびｓＰＤＳＣＨに対するトランスミッションモードが異なる場合の一例である。図８（Ｂ）はＰＤＳＣＨに対するトランスミッションモードおよびｓＰＤＳＣＨに対するトランスミッションモードが同じ場合の一例である。
【０１９０】
以下、図８（Ａ）について、説明する。まず、端末装置１は、ＰＤＳＣＨに対するトランスミッションモード、および、ｓＰＤＳＣＨに対するトランスミッションモードの何れに対するピリオディックＣＳＩの測定を行うかを決定する。ここで、端末装置１は、態様Ａ、態様Ｂ、または、態様Ｃに基づいて、ＰＤＳＣＨに対するトランスミッションモード、および、ｓＰＤＳＣＨに対するトランスミッションモードの何れに対するピリオディックＣＳＩの測定を行うかを決定してもよい。端末装置１は決定したＰＤＳＣＨまたはｓＰＤＳＣＨのトランスミッションモードと第１のピリオディックＣＳＩレポーティングパラメータに基づいて、ピリオディックＣＳＩレポーティングモード、および、フィードバックされるべきＣＳＩのコンテンツを決定する。
【０１９１】
ＰＤＳＣＨに対するトランスミッションモードおよびｓＰＤＳＣＨに対するトランスミッションモードが異なる場合、第１のピリオディックＣＳＩレポーティングパラメータは、ＰＤＳＣＨに対するトランスミッションモード、および、ｓＰＤＳＣＨに対するトランスミッションモードに対する共通のＣＱＩフィードバックタイプを示してもよい。また、ＰＤＳＣＨに対するＣＳＩレポーティングのＰＭＩフィードバックタイプはＰＤＳＣＨのトランスミッションモードによって、決定される。ｓＰＤＳＣＨに対するＣＳＩレポーティングのＰＭＩフィードバックタイプはｓＰＤＳＣＨのトランスミッションモードによって、決定される。つまり、端末装置１は共通のＣＱＩフィードバックタイプとトランスミッションモードによって決定されたＰＭＩフィードバックタイプの組み合わせに基づいて、フィードバックされるべきＣＳＩのコンテンツを決定する。
【０１９２】
具体的には、例えば、基地局装置３は、ＰＤＳＣＨに対するトランスミッションモードをトランスミッションモードＴＭ４、ｓＰＤＳＣＨに対するトランスミッションモードをトランスミッションモードＴＭ２に設定して、当該設定を示すＲＲＣシグナリングを端末装置１に送信する。ここで、ＰＤＳＣＨのトランスミッションモードＴＭ４に対して、モード１―２およびモード２―１がサポートされる。ｓＰＤＳＣＨのトランスミッションモードＴＭ２に対して、モード２―０およびモード１―０がサポートされる。さらに、共通
の第１のピリオディックＣＳＩレポーティングパラメータはサブバンドＣＱＩフィードバックタイプに設定される。
【０１９３】
端末装置１がＣＳＩの導出のためにＰＤＳＣＨのトランスミッションモードを想定する場合、ＣＳＩレポーティングに用いられるＰＭＩフィードバックタイプは単一のＰＭＩ（single PMI）に決定される。即ち、モード２−１が決定されてもよい。ここで、端末装置１は決定されたモード２−１に示されるコンテンションに基づいて、基地局装置３にレポーティングしてもよい。
【０１９４】
また、端末装置１がＣＳＩの導出のためにｓＰＤＳＣＨのトランスミッションモードを想定する場合、ＣＳＩレポーティングに用いられるＰＭＩフィードバックタイプはＰＭＩなし（No PMI）に決定される。即ち、モード２−０が決定されてもよい。ここで、端末装置１は決定されたモード２−０に示されるコンテンションに基づいて、基地局装置３にレポーティングしてもよい。
【０１９５】
図８（Ｂ）は基地局装置３が端末装置１にＰＤＳＣＨおよびｓＰＤＳＣＨのそれぞれに対するトランスミッションモードを一つの共通のトランスミッションモードに設定する場合の一例を示す図である。共通のトランスミッションモードに設定されたＰＤＳＣＨのトランスミッションモードとｓＰＤＳＣＨのトランスミッションモードに対して、同じピリオディックＣＳＩレポーティングモードがサポートされる。即ち、端末装置１は共通のトランスミッションモードと第１のピリオディックＣＳＩレポーティングパラメータに基づいて、基地局装置３にＣＳＩをレポーティングしてもよい。
【０１９６】
ＰＤＳＣＨに対するトランスミッションモードおよびｓＰＤＳＣＨに対するトランスミッションモードが同じ場合、第１のピリオディックＣＳＩレポーティングパラメータは、ＰＤＳＣＨに対するトランスミッションモード、および、ｓＰＤＳＣＨに対するトランスミッションモードに対する共通のＣＱＩフィードバックタイプを示してもよい。また、ＰＭＩフィードバックタイプは共通のトランスミッションモードに基づいて、決定されてもよい。また、ｓＰＤＳＣＨに対するＣＳＩレポーティングのＣＱＩフィードバックタイプはワイドバンドＣＱＩタイプに設定されてもよい。
【０１９７】
即ち、ｓＰＤＳＣＨのトランスミッションモードの場合、ｓＰＤＳＣＨに対するＣＳＩレポーティングのＣＱＩフィードバックタイプはワイドバンドＣＱＩフィードバックタイプに設定されてもよい。即ち、端末装置１は共通のＣＱＩフィードバックタイプを示す第１のピリオディックＣＳＩレポーティングパラメータに基づいて、ピリオディックＣＳＩレポーティングモードを図８（Ｂ）の示すような例の矢印ように縦方向のモード（異なるＣＱＩフィードバックタイプであるが同じＰＭＩフィードバックタイプのモード）に切り替えてもよい。具体的に言うと、端末装置１は第１のピリオディックＣＳＩレポーティングパラメータに基づいて、ワイドバンドＣＱＩフィードバックタイプが含まれるモード（モード１−０、および、モード１−１）に切り替えてもよい。つまり、ｓＰＤＳＣＨのトランスミッションモードに対するＣＳＩレポーティングはＣＳＩのコンテンツを示すペイロードサイズ（ビット数）が少ないワイドバンドＣＱＩが含まれるモードを用いてもよい。
【０１９８】
例えば、基地局装置３は、ＰＤＳＣＨおよびｓＰＤＳＣＨのそれぞれに対するトランスミッションモードを共通のトランスミッションモードＴＭ４に設定して、ＲＲＣシグナリングを用いて端末装置１に送信する。ＰＤＳＣＨおよびｓＰＤＳＣＨのトランスミッションモードＴＭ４に対して、モード１―１およびモード２―１がサポートされる。即ち、端末装置１はＣＳＩレポーティングに用いられるＰＭＩフィードバックタイプを単一のＰＭＩ（single PMI）に決定する。さらに、共通の第１のピリオディックＣＳＩレポーティン
グパラメータはサブバンドＣＱＩフィードバックタイプに設定される。端末装置１がＣＳＩの導出のためにＰＤＳＣＨのトランスミッションモードを想定する場合、ＣＳＩの導出は設定されたモード２−１に基づいて、基地局装置３にＣＳＩをレポーティングしてもよい。端末装置１がＣＳＩの導出のためにｓＰＤＳＣＨのトランスミッションモードを想定する場合、ＣＳＩの導出は設定されたモード２−１に基づいて、基地局装置３にＣＳＩをレポーティングしてもよい。また、端末装置１がＣＳＩの導出のためにｓＰＤＳＣＨのトランスミッションモードを想定する場合、ＣＳＩの導出は図８（Ｂ）における設定されたモード２−１と同じ縦方向のワイドバンドＣＱＩフィードバックタイプが含まれるモードに切り替えてもよい。ここで、ｓＰＤＳＣＨのトランスミッションモードに対するピリオディックＣＳＩレポーティングモードはモード２−１からモード１−１へ切り替えてもよい。即ち、端末装置１はモード１−１に示されるコンテンツに基づいて、基地局装置３にレポーティングしてもよい。
【０１９９】
態様Ｅは、アピリオディックＣＳＩレポーティングに対して用いられてもよい。
【０２００】
以上では、本実施形態における各の態様はＣＳＩのコンテンツ、および／または、ＣＳＩレポーティングモードを決定する異なる例である。即ち、本実施形態において、端末装置１および基地局装置３は、以下の要素（Ａ）から要素（Ｇ）の一部、または、全部に少なくともに基づいて、ＣＳＩのコンテンツ、および／または、ＣＳＩレポーティングモードを決定してもよい。
【０２０１】
■要素Ａ：ＣＳＩリファレンスリソースもしくは前記ＣＳＩリファレンスリソースより前の一番近くに割り当てられた下りリンク物理チャネルのタイプ
■要素Ｂ：ＣＳＩの送信をトリガするようにセットされたＣＳＩリクエストフィールドを含むＵＬグラントを含む下りリンク物理チャネルのタイプ
■要素Ｃ：下りリンク物理チャネルのトランスミッションスキーム
■要素Ｄ：ＰＤＳＣＨのトランスミッションモード
■要素Ｅ：ｓＰＤＳＣＨのトランスミッションモード
■要素Ｆ：ＣＳＩのコンテンツを示すペイロードサイズ（ビット数）
■要素Ｇ：下りリンク物理チャネルの物理パラメータ（numerology）
ここで、要素Ｇにおいて、物理パラメータは、例えば、下りリンク物理チャネルの信号波形に関するパラメータであってもよい。信号波形に関するパラメータは、下りリンク物理チャネルに適用されるシンボル数、信号波形（waveform）、サブキャリアスペーシング、ＣＰ長、サンプル周期等であってもよい。
【０２０２】
以下、本実施形態における装置の構成について説明する。
【０２０３】
図９は、本実施形態における端末装置１の構成を示す概略ブロック図である。図に示すように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、ｓＴＴＩ制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０２０４】
上位層処理部１０１は、ユーザーの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet
Data Convergence Protocol: PDCP）層、無線リンク制御（Radio Link Control: RLC）
層、無線リソース制御（Radio Resource Control: RRC）層の処理を行なう。
【０２０５】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０２０６】
ここで、上位層処理部１０１が備えるスケジューリング情報解釈部１０１３は、受信部１０５を介して受信したＤＣＩフォーマット（スケジューリング情報、ＵＬグラント）の解釈をし、前記ＤＣＩフォーマットを解釈した結果に基づき、受信部１０５、および送信部１０７の制御を行なうために制御情報を生成し、制御部１０３に出力する。
【０２０７】
また、上位層処理部１０１が備えるｓＴＴＩ制御部１０１５は、各種設定情報、および、パラメータなどＳＰＳに関連する情報、状況に基づいて、ｓＴＴＩ送信に関連する制御を行う。
【０２０８】
また、制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０２０９】
また、受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０２１０】
また、無線受信部１０５７は、送受信アンテナ部１０９を介して受信した下りリンクの信号を、直交復調によりベースバンド信号に変換し（ダウンコンバート: down covert）
、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速
フーリエ変換（Fast Fourier Transform: FFT）を行い、周波数領域の信号を抽出する。
【０２１１】
また、多重分離部１０５５は、抽出した信号をＰＨＩＣＨ、ＰＤＣＣＨ、ＰＤＳＣＨ、および、下りリンク参照信号に、それぞれ分離する。また、多重分離部１０５５は、チャネル測定部１０５９から入力された伝搬路の推定値から、ＰＨＩＣＨ、ＰＤＣＣＨ、および、ＰＤＳＣＨの伝搬路の補償を行なう。また、多重分離部１０５５は、分離した下りリンク参照信号をチャネル測定部１０５９に出力する。
【０２１２】
また、復調部１０５３は、ＰＨＩＣＨに対して対応する符号を乗算して合成し、合成した信号に対してＢＰＳＫ（Binary Phase Shift Keying）変調方式の復調を行ない、復号
化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨに対して、ＱＰＳＫ変調方式の復調を行ない、復号化部１０５１へ出力する。復号化部１０５１は、ＰＤＣＣＨの復号を試み、復号に成功した場合、復号した下りリンク制御情報と下りリンク制御情報が対応するＲＮＴＩとを上位層処理部１０１に出力する。
【０２１３】
また、復調部１０５３は、ＰＤＳＣＨに対して、ＱＰＳＫ（Quadrature Phase Shift Keying）、１６ＱＡＭ（Quadrature Amplitude Modulation）、６４ＱＡＭ等のＤＬグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０２１４】
また、チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩ（ＣＳＩでもよい）の算出のために、チャネル測定、および／または、干渉測定を行なう。
【０２１５】
また、送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。また、送信部１０７は、上りリンク制御情報を送信する。
【０２１６】
また、符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【０２１７】
また、変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０２１８】
また、上りリンク参照信号生成部１０７９は、基地局装置３を識別するための物理レイヤセル識別子（physical layer cell identity: PCI、Cell IDなどと称する。）、上りリンク参照信号を配置する帯域幅、ＵＬグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と
生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０２１９】
また、無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０２２０】
図１０は、本実施形態における基地局装置３の構成を示す概略ブロック図である。図に
示すように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、ｓＴＴＩ制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０２２１】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０２２２】
また、上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上
位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０２２３】
また、上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０２２４】
また、上位層処理部３０１が備えるｓＴＴＩ制御部３０１５は、各種設定情報、および、パラメータなどＳＰＳに関連する情報、状況に基づいて、ＳＰＳに関連する制御を行う。
【０２２５】
また、制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０２２６】
また、受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持さ
れるように増幅レベルを制御し、受信された信号の同相成分および直交成分に基づいて、直交復調し、直交復調されたアナログ信号をディジタル信号に変換する。また、受信部３０５は、上りリンク制御情報を受信する。
【０２２７】
また、無線受信部３０５７は、変換したディジタル信号からＣＰ（Cyclic Prefix）に
相当する部分を除去する。無線受信部３０５７は、ＣＰを除去した信号に対して高速フーリエ変換（Fast Fourier Transform: FFT）を行い、周波数領域の信号を抽出し多重分離
部３０５５に出力する。
【０２２８】
また、多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知したＵＬグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０２２９】
また、復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ
、６４ＱＡＭ等の予め定められた、または自装置が端末装置１各々にＵＬグラントで予め通知した変調方式を用いて受信信号の復調を行なう。復調部３０５３は、端末装置１各々にＵＬグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０２３０】
また、復号化部３０５１は、復調されたＰＵＣＣＨとＰＵＳＣＨの符号化ビットを、予め定められた符号化方式の、予め定められた、又は自装置が端末装置１にＵＬグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０２３１】
また、送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および、下りリンク参照信号を多重して、送受信アンテナ部３０９を介して端末装置１に信号を送信する。
【０２３２】
また、符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０２３３】
また、下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメン
トに配置する。
【０２３４】
また、無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０２３５】
端末装置１と基地局装置３を構成する種々の部は、回路であってもよい。例えば、送信部１０７は送信回路１０７であってもよい。
【０２３６】
以下、本実施形態における、端末装置１および基地局装置３の種々の態様について説明する。
【０２３７】
（１）本実施形態の態様Ａは、端末装置１であって、ＣＳＩを導き出すチャネル測定部１０５９、前記ＣＳＩを送信する送信部１０７と、を備え、ＣＳＩリファレンスリソースもしくは前記ＣＳＩリファレンスリソースより前の一番近くに割り当てられた下りリンク物理チャネルのタイプに基づいて、前記ＣＳＩのコンテンツが決定される。
【０２３８】
（２）本実施形態の態様Ａにおいて、下りリンク物理チャネルのタイプは、ＰＤＳＣＨおよびｓＰＤＳＣＨを含んでもよい。
【０２３９】
（３）本実施形態の態様Ａにおいて、ＣＳＩのコンテンツは、ＣＱＩ、ＰＭＩおよびＲＩの一部または全部を含む。
【０２４０】
（４）本実施形態の態様Ｂは、端末装置１であって、ＣＳＩを導き出すチャネル測定部１０５９、前記ＣＳＩを送信する送信部１０７と、を備え、前記ＣＳＩの送信をトリガするようにセットされたＣＳＩリクエストフィールドを含むＵＬグラントを含む下りリンク物理チャネルのタイプに基づいて、前記ＣＳＩのコンテンツが決定される。
【０２４１】
（５）本実施形態の態様Ｂにおいて、下りリンク物理チャネルのタイプは、ＰＤＣＣＨおよびｓＰＤＣＣＨを含んでもよい。
【０２４２】
（６）本実施形態の態様Ｂにおいて、ＣＳＩのコンテンツは、ＣＱＩ、ＰＭＩおよびＲＩの一部または全部を含む。
【０２４３】
（７）本実施形態の態様Ｃは、端末装置１であって、ＣＳＩの送信をトリガするようにセットされたＣＳＩリクエストフィールドを含むＤＬグラントであって、下りリンク物理チャネルのスケジューリングのために用いられるＤＬグラントを受信する受信部１０５と、ＣＳＩを導き出すチャネル測定部１０５９と、前記ＣＳＩを送信する送信部１０７と、を備え、前記下りリンク物理チャネルのトランスミッションスキームに基づいて、前記ＣＳＩのコンテンツが決定される。
【０２４４】
（８）本実施形態の態様Ｃにおいて、前記下りリンク物理チャネルのトランスミッションスキームは、ＤＬグラントによって、与えられる。
【０２４５】
（９）本実施形態の態様Ｄは、端末装置１であって、第１のＣＳＩレポーティングモードを示す第１のＣＳＩレポーティングパラメータ、および、第２のＣＳＩレポーティングモードを示す第２のＣＳＩレポーティングパラメータを受信する受信部１０５、ＣＳＩを
導き出すチャネル測定部１０５９、前記ＣＳＩを送信する送信部１０７と、を備え、前記チャネル測定部１０５９は、ＰＤＳＣＨのトランスミッションモードおよびｓＰＤＳＣＨのトランスミッションモードに基づいて、第１のＣＳＩレポーティングパラメータおよび第２のＣＳＩレポーティングパラメータの内の一つを選択し、前記選択した一つに対応するＣＳＩレポーティングモードに基づいて、前記ＣＳＩを導き出す。
【０２４６】
（１０）本実施形態の態様Ｄにおいて、前記チャネル測定部１０５９は、前記ＰＤＳＣＨのトランスミッションモードおよび前記ｓＰＤＳＣＨのトランスミッションモードの内の少なくとも一方が空間多重に関連するトランスミッションモードである場合、ＭＩＭＯ空間多重のために設定される前記第１のＣＳＩレポーティングパラメータを選択する。
【０２４７】
（１１）本実施形態の態様Ｅは、端末装置１であって、ＣＳＩのコンテンツを決定するために用いられる第１のＣＳＩレポーティングパラメータを受信する受信部１０５、前記ＣＳＩを導き出すチャネル測定部１０５９、前記ＣＳＩを送信する送信部１０７と、を備え、前記チャネル測定部１０５９は、ＰＤＳＣＨのトランスミッションモード、ｓＰＤＳＣＨのトランスミッションモードおよび第１のＣＳＩレポーティングパラメータに基づいて、前記ＣＳＩのコンテンツを決定する。
【０２４８】
（１２）本実施形態の態様Ｅにおいて、前記ＰＤＳＣＨのトランスミッションモードおよびｓＰＤＳＣＨのトランスミッションモードが同じかどうかに基づいて、前記ＣＳＩのコンテンツを決定する。
【０２４９】
（１３）本実施形態の態様Ｆは、基地局装置３であって、ＣＳＩを導き出すチャネル測定部３０５９、前記ＣＳＩを受信する受信部３０５と、を備え、ＣＳＩリファレンスリソースもしくは前記ＣＳＩリファレンスリソースより前の一番近くに割り当てられた下りリンク物理チャネルのタイプに基づいて、前記ＣＳＩのコンテンツが決定される。
【０２５０】
（１４）本実施形態の態様Ｆにおいて、下りリンク物理チャネルのタイプは、ＰＤＳＣＨおよびｓＰＤＳＣＨを含んでもよい。
【０２５１】
（１５）本実施形態の態様Ｆにおいて、ＣＳＩのコンテンツは、ＣＱＩ、ＰＭＩおよびＲＩの一部または全部を含む。
【０２５２】
（１６）本実施形態の態様Ｇは、基地局装置３であって、ＣＳＩを導き出すチャネル測定部３０５９、前記ＣＳＩを受信する受信部３０５と、を備え、前記ＣＳＩの送信をトリガするようにセットされたＣＳＩリクエストフィールドを含むＵＬグラントを含む下りリンク物理チャネルのタイプに基づいて、前記ＣＳＩのコンテンツが決定される。
【０２５３】
（１７）本実施形態の態様Ｇにおいて、下りリンク物理チャネルのタイプは、ＰＤＣＣＨおよびｓＰＤＣＣＨを含んでもよい。
【０２５４】
（１８）本実施形態の態様Ｇにおいて、ＣＳＩのコンテンツは、ＣＱＩ、ＰＭＩおよびＲＩの一部または全部を含む。
【０２５５】
（１９）本実施形態の態様Ｈは、基地局装置３であって、ＣＳＩの送信をトリガするようにセットされたＣＳＩリクエストフィールドを含むＤＬグラントであって、下りリンク物理チャネルのスケジューリングのために用いられるＤＬグラントを送信する送信部３０７と、ＣＳＩを導き出すチャネル測定部３０５９と、前記ＣＳＩを受信する受信部３０５と、を備え、前記下りリンク物理チャネルのトランスミッションスキームに基づいて、前記ＣＳＩのコンテンツが決定される。
【０２５６】
（２０）本実施形態の態様Ｈにおいて、前記下りリンク物理チャネルのトランスミッションスキームは、ＤＬグラントによって、与えられる。
【０２５７】
（２１）本実施形態の態様Ｉは、基地局装置３であって、第１のＣＳＩレポーティングモードを示す第１のＣＳＩレポーティングパラメータ、および、第２のＣＳＩレポーティングモードを示す第２のＣＳＩレポーティングパラメータを送信する送信部３０７、ＣＳＩを導き出すチャネル測定部３０５９、前記ＣＳＩを受信する受信部３０５と、を備え、前記チャネル測定部３０５９は、ＰＤＳＣＨのトランスミッションモードおよびｓＰＤＳＣＨのトランスミッションモードに基づいて、第１のＣＳＩレポーティングパラメータおよび第２のＣＳＩレポーティングパラメータの内の一つを選択し、前記選択した一つに対応するＣＳＩレポーティングモードに基づいて、前記ＣＳＩを導き出す。
【０２５８】
（２２）本実施形態の態様Ｉにおいて、前記チャネル測定部３０５９は、前記ＰＤＳＣＨのトランスミッションモードおよび前記ｓＰＤＳＣＨのトランスミッションモードの内の少なくとも一方が空間多重に関連するトランスミッションモードである場合、ＭＩＭＯ空間多重のために設定される前記第１のＣＳＩレポーティングパラメータを選択する。
【０２５９】
（２３）本実施形態の態様Ｊは、基地局装置３であって、ＣＳＩのコンテンツを決定するために用いられる第１のＣＳＩレポーティングパラメータを送信する送信部３０７、前記ＣＳＩを導き出すチャネル測定部３０５９、前記ＣＳＩを受信する受信部３０５と、を備え、前記チャネル測定部３０５９は、ＰＤＳＣＨのトランスミッションモード、ｓＰＤＳＣＨのトランスミッションモードおよび第１のＣＳＩレポーティングパラメータに基づいて、前記ＣＳＩのコンテンツを決定する。
【０２６０】
（２４）本実施形態の態様Ｊにおいて、前記ＰＤＳＣＨのトランスミッションモードおよびｓＰＤＳＣＨのトランスミッションモードが同じかどうかに基づいて、前記ＣＳＩのコンテンツを決定する。
【０２６１】
これにより、チャネル状態情報を効率的に送信することができる。例えば、ＰＤＳＣＨに対するＣＳＩレポーティングに対して用いられるＣＳＩコンテンツと、ｓＰＤＳＣＨに対するＣＳＩレポーティングに対して用いられるＣＳＩコンテンツが、それぞれ設定されることによって、最適なレポーティングコンテンツが設定されることが可能となり、チャネル状態情報を効率的に送信することができる。
【０２６２】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０２６３】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２６４】
尚、ここでいう「コンピュータシステム」とは、端末装置１、又は基地局装置３に内蔵されたコンピュータシステムであって、ＯＳや周辺機器等のハードウェアを含むものとす
る。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２６５】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２６６】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２６７】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２６８】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２６９】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２７０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２７１】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  ｓＴＴＩ制御部
３０１１  無線リソース制御部
３０１３  スケジューリング部
３０１５  ｓＴＴＩ制御部
【図１】
2019145857.tif 000003
【図２】
2019145857.tif 000004
【図３】
2019145857.tif 000005
【図４】
2019145857.tif 000006
【図５】
2019145857.tif 000007
【図６】
2019145857.tif 000008
【図７】
2019145857.tif 000009
【図８】
2019145857.tif 000010
【図９】
2019145857.tif 000011
【図１０】
2019145857.tif 000012